(57)【要約】【課題】吸着剤を利用して空気の湿度を調節する調湿装置において、フィルタの目詰まりなどに起因する風量の変化を検知する。【解決手段】調湿装置（10）のケーシング（11）には、吸着剤を担持する吸着熱交換器（51,52）が２つ収容される。また、ケーシング（11）には、排気ファン（25）と、給気ファン（26）と、室外空気を浄化する外気側フィルタ（27）と、室内空気を浄化する内気側フィルタ（28）とが収容される。外気側流路（32）には外気温度センサ（61）及び外気湿度センサ（71）が、給気側流路（33）には給気温度センサ（62）及び給気湿度センサ（72）が、それぞれ設置される。調湿装置（10）のコントローラは、外気温度センサ（61）及び外気湿度センサ（71）から計算した空気の絶対湿度と、給気温度センサ（62）及び給気湿度センサ（72）から計算した空気の絶対湿度とを用いて、吸着熱交換器（51,52）を通過する空気の流量を推定する。【選択図】図１
2008145092.tif 000002
【特許請求の範囲】
【請求項１】
吸着剤を有して該吸着剤を空気と接触させる調湿用部材（51,52,…）を備え、取り込んだ空気を上記調湿用部材（51,52,…）で湿度調節してから室内へ供給する調湿装置であって、
上記調湿用部材（51,52,…）の上流における空気の絶対湿度を検出する入口側湿度検出手段（61,71,…）と、
上記調湿用部材（51,52,…）の下流における空気の絶対湿度を検出する出口側湿度検出手段（62,72,…）と、
上記入口側湿度検出手段（61,71,…）の検出値及び上記出口側湿度検出手段（62,72,…）の検出値に基づいて上記調湿用部材（51,52,…）を通過する空気の流量を推定する風量推定手段（94）とを備えている
ことを特徴とする調湿装置。
【請求項２】
請求項１において、
上記風量推定手段（94）は、上記調湿用部材（51,52,…）を通過する空気の流量が減少するにつれて該調湿用部材（51,52,…）の上流における空気の絶対湿度と該調湿用部材（51,52,…）の下流における空気の絶対湿度との差が拡大する現象を利用することによって、上記調湿用部材（51,52,…）を通過する空気の流量を推定するように構成されている
ことを特徴とする調湿装置。
【請求項３】
請求項１において、
上記風量推定手段（94）は、
上記調湿用部材（51,52,…）を通過する空気の流量が所定の基準値である状態での該調湿用部材（51,52,…）の上流における空気の絶対湿度と該調湿用部材（51,52,…）の下流における空気の絶対湿度との差の推定値を、上記入口側湿度検出手段（61,71,…）の検出値を用いて算出すると共に、
算出した上記推定値に比べて上記入口側湿度検出手段（61,71,…）の検出値と上記出口側湿度検出手段（62,72,…）の検出値との差が大きい場合に上記調湿用部材（51,52,…）を通過する空気の流量が上記基準値よりも少なくなっていると判断する
ことを特徴とする調湿装置。
【請求項４】
請求項３において、
上記調湿用部材（51,52,…）へ空気を供給する送風ファン（25,26）を備える一方、
上記風量推定手段（94）は、上記調湿用部材（51,52,…）の上流における空気の絶対湿度と該調湿用部材（51,52,…）の下流における空気の絶対湿度との差の推定値を算出する際に、上記入口側湿度検出手段（61,71,…）の検出値と上記送風ファン（25,26）の回転速度とを用いる
ことを特徴とする調湿装置。
【請求項５】
請求項３において、
冷媒を循環させて冷凍サイクルを行う冷媒回路（50,100）を備え、該冷媒回路（50,100）の冷媒から放出される熱を利用して上記調湿用部材（51,52,…）を再生するように構成される一方、
上記風量推定手段（94）は、上記調湿用部材（51,52,…）の上流における空気の絶対湿度と該調湿用部材（51,52,…）の下流における空気の絶対湿度との差の推定値を算出する際に、上記入口側湿度検出手段（61,71,…）の検出値と上記冷媒回路（50,100）に設けられた圧縮機（53,101）の容量とを用いる
ことを特徴とする調湿装置。
【請求項６】
請求項１において、
上記風量推定手段（94）は、
上記調湿用部材（51,52,…）を通過する空気の流量が所定の基準値である状態での該調湿用部材（51,52,…）の下流における空気の絶対湿度の推定値を、上記入口側湿度検出手段（61,71,…）の検出値を用いて算出すると共に、
上記調湿用部材（51,52,…）に空気中の水分を吸着させる動作中には、算出した上記推定値に比べて上記出口側湿度検出手段（62,72,…）の検出値が低い場合に上記調湿用部材（51,52,…）を通過する空気の流量が上記基準値よりも少なくなっていると判断する一方、
上記調湿用部材（51,52,…）から脱離した水分を空気に付与する動作中には、算出した上記推定値に比べて上記出口側湿度検出手段（62,72,…）の検出値が高い場合に上記調湿用部材（51,52,…）を通過する空気の流量が上記基準値よりも少なくなっていると判断する
ことを特徴とする調湿装置。
【請求項７】
請求項６において、
上記調湿用部材（51,52,…）へ空気を供給する送風ファン（25,26）を備える一方、
上記風量推定手段（94）は、上記調湿用部材（51,52,…）の下流における空気の絶対湿度の推定値を算出する際に、上記入口側湿度検出手段（61,71,…）の検出値と上記送風ファン（25,26）の回転速度とを用いる
ことを特徴とする調湿装置。
【請求項８】
請求項６において、
冷媒を循環させて冷凍サイクルを行う冷媒回路（50,100）を備え、該冷媒回路（50,100）の冷媒から放出される熱を利用して上記調湿用部材（51,52,…）を再生するように構成される一方、
上記風量推定手段（94）は、上記調湿用部材（51,52,…）の下流における空気の絶対湿度の推定値を算出する際に、上記入口側湿度検出手段（61,71,…）の検出値と上記冷媒回路（50,100）に設けられた圧縮機（53,101）の容量とを用いる
ことを特徴とする調湿装置。
【請求項９】
請求項１，２，３又は６において、
上記調湿用部材（51,52,…）を複数備えており、
第１の調湿用部材（51,111,151）を再生すると同時に第２の調湿用部材（52,112,152）に空気中の水分を吸着させる第１動作と、第１の調湿用部材（51,111,151）に空気中の水分を吸着させると同時に第２の調湿用部材（52,112,152）を再生する第２動作とを交互に繰り返し行うように構成されている
ことを特徴とする調湿装置。
【請求項１０】
請求項９において、
冷媒を循環させて冷凍サイクルを行う冷媒回路（50）を備え、
外表面に吸着剤が担持されると共に上記冷媒回路（50）に接続される吸着熱交換器（51,52）が、上記調湿用部材として設けられており、
上記冷媒回路（50）は、第１の吸着熱交換器（51）が凝縮器になって第２の吸着熱交換器（52）が蒸発器になる動作と、第２の吸着熱交換器（52）が凝縮器になって第１の吸着熱交換器（51）が蒸発器になる動作とを切り換えて実行できるように構成されている
ことを特徴とする調湿装置。
【請求項１１】
請求項１，２，３又は６において、
上記調湿用部材（51,52,…）の上流に配置されて空気を浄化するフィルタ部材（27,28）と、
上記風量推定手段（94）が推定した空気流量の推定値を利用して上記フィルタ部材（27,28）の目詰まりの状態を検出するフィルタ状態検出手段（93）とを備えている
ことを特徴とする調湿装置。
【請求項１２】
請求項１１において、
構成機器の運転状態を制御しながら上記調湿用部材（51,52,…）で湿度調節した空気を室内へ供給する通常運転と、
構成機器の運転状態を一定に保持した状態で上記フィルタ状態検出手段（93）に上記フィルタ部材（27,28）の目詰まりの状態を検出させるフィルタ状態検出運転とが選択的に実行可能となっている
ことを特徴とする調湿装置。
【請求項１３】
請求項１，２，３又は６において、
室内と室外とを連通させるための空気通路を形成するケーシング（11）と、上記空気通路に配置されて空気を搬送する送風ファン（25,26）とを備え、取り込んだ室外空気を上記調湿用部材（51,52,…）で湿度調節してから室内へ供給するように構成される一方、
上記空気通路における通風抵抗が変化しても室内へ供給される空気の流量が目標送風量に維持されるように、上記風量推定手段（94）が推定した空気流量の推定値を利用して上記送風ファン（25,26）の送風能力を調節するファン制御手段（91）が設けられている
ことを特徴とする調湿装置。
【請求項１４】
請求項１３において、
上記ケーシング（11）には、上記空気通路としての給気用通路と排気用通路とが形成されると共に、上記給気用通路に配置されて室外空気を室内に供給する給気ファン（26）と、上記排気用通路に配置されて室内空気を室外に排出する排気ファン（25）とが上記送風ファンとして収容され、
上記ファン制御手段（91）は、上記給気用通路における通風抵抗が変化しても室内へ供給される空気の流量が目標給気量に維持されるように上記給気ファン（26）の送風能力を調節する給気側制御手段（95）と、上記排気用通路における送風抵抗が変化しても室外へ排出される空気の流量が目標排気量に維持されるように上記排気ファン（25）の送風能力を調節する排気側制御手段（96）とを備えている
ことを特徴とする調湿装置。
【発明の詳細な説明】
【技術分野】
【０００１】
本発明は、取り込んだ空気を湿度調節してから室内へ供給する調湿装置に関するものである。
【背景技術】
【０００２】
従来より、吸着剤の水分の吸着又は脱離により室内の湿度調節を行う調湿装置が知られている。
【０００３】
特許文献１には、取り込んだ室外空気を湿度調節して室内へ供給する調湿装置が開示されている。この調湿装置は、空気を吸着剤と接触させるための吸着素子を２つ備えている。この調湿装置は、第１の吸着素子に空気中の水分を吸着させると同時に第２の吸着素子を高温の空気で再生する動作と、第２の吸着素子に空気中の水分を吸着させると同時に第１の吸着素子を高温の空気で再生する動作とを交互に繰り返す。そして、吸着素子で除湿された空気および吸着素子から脱離した水分を付与された空気の一方を室内へ供給し、他方を室外へ排出している。
【０００４】
また、特許文献２には、吸着素子の代わりに吸着剤が担持された吸着熱交換器を用いる調湿装置が開示されている。この調湿装置では、２つの吸着熱交換器を冷媒回路に接続し、蒸発器として動作する吸着熱交換器に空気中の水分を吸着させ、凝縮器として動作する吸着熱交換器から脱離した水分を空気に付与する。
【特許文献１】特開２００３−１３１４６５号公報
【特許文献２】特開２００４−２９４０４８号公報
【発明の開示】
【発明が解決しようとする課題】
【０００５】
ところで、この調湿装置では、運転中に調湿装置を通過する際の空気の圧力損失が徐々に増大し、それに伴って調湿装置から室内へ供給される空気の流量が減少するおそれがある。つまり、この調湿装置には、取り込んだ空気を清浄化するためにフィルタが設けられる場合がある。フィルタに塵埃などが堆積してゆくと、フィルタを通過する際の空気の圧力損失が増大し、調湿装置を通過する空気の流量が減少するおそれがある。また、フィルタの目詰まり以外の要因、例えばフィルタ以外の部分への塵埃の堆積などによっても、調湿装置における空気の圧力損失が増大して風量の低下を招くおそれがある。
【０００６】
調湿装置の運転中における室内への空気供給量の変動は、室内の快適性に影響を及ぼす。従って、調湿装置については、空気の圧力損失の増大に起因する風量の変化を、何らかの方法で検知することが望まれる。
【０００７】
本発明は、かかる点に鑑みてなされたものであり、その目的は、吸着剤を利用して空気の湿度を調節する調湿装置において、フィルタの目詰まりなどに起因する風量の変化を検知することにある。
【課題を解決するための手段】
【０００８】
第１の発明は、吸着剤を有して該吸着剤を空気と接触させる調湿用部材（51,52,…）を備え、取り込んだ空気を上記調湿用部材（51,52,…）で湿度調節してから室内へ供給する調湿装置を対象とする。そして、上記調湿用部材（51,52,…）の上流における空気の絶対湿度を検出する入口側湿度検出手段（61,71,…）と、上記調湿用部材（51,52,…）の下流における空気の絶対湿度を検出する出口側湿度検出手段（62,72,…）と、上記入口側湿度検出手段（61,71,…）の検出値及び上記出口側湿度検出手段（62,72,…）の検出値に基づいて上記調湿用部材（51,52,…）を通過する空気の流量を推定する風量推定手段（94）とを備えるものである。
【０００９】
第１の発明において、調湿装置（10）に取り込まれた空気は、調湿用部材（51,52,…）へ送られて吸着剤と接触する。調湿用部材（51,52,…）では、空気中の水分が吸着剤に吸着され、或いは吸着剤から脱離した水分が空気へ付与される。調湿装置（10）は、調湿用部材（51,52,…）で湿度調節された空気を室内へ供給する。この調湿装置（10）では、調湿用部材（51,52,…）で湿度調節される前の空気の絶対湿度が入口側湿度検出手段（61,71,…）により検出され、調湿用部材（51,52,…）で湿度調節された後の空気の絶対湿度が出口側湿度検出手段（62,72,…）により検出される。
【００１０】
ここで、調湿用部材（51,52,…）を通過する空気の流量が変化すると、調湿用部材（51,52,…）を通過する際の空気の流速が変化する。その結果、調湿用部材（51,52,…）における空気と吸着剤の接触時間が変化し、空気と吸着剤の間でやり取りされる水分の量が変化する。つまり、調湿用部材（51,52,…）を通過する空気の流量が変化すると、調湿用部材（51,52,…）の下流における空気の絶対湿度が変化する。また、調湿用部材（51,52,…）の下流における空気の絶対湿度は、調湿用部材（51,52,…）の上流における空気の絶対湿度によっても変化する。
【００１１】
このように、調湿用部材（51,52,…）を通過する空気の流量と、調湿用部材（51,52,…）の上流における空気の絶対湿度と、調湿用部材（51,52,…）の下流における空気の絶対湿度との間には相関がある。そこで、上記第１の発明の風量推定手段（94）は、入口側湿度検出手段（61,71,…）の検出値と、出口側湿度検出手段（62,72,…）の検出値とに基づき、調湿用部材（51,52,…）を通過する空気の流量を推定する。
【００１２】
第２の発明は、上記第１の発明において、上記風量推定手段（94）は、上記調湿用部材（51,52,…）を通過する空気の流量が減少するにつれて該調湿用部材（51,52,…）の上流における空気の絶対湿度と該調湿用部材（51,52,…）の下流における空気の絶対湿度との差が拡大する現象を利用することによって、上記調湿用部材（51,52,…）を通過する空気の流量を推定するように構成されるものである。
【００１３】
調湿用部材（51,52,…）を通過する空気の流量が減少すると、それに伴って調湿用部材（51,52,…）を通過する際の空気の流速が低下する。空気の流速が低下してゆくと、それにつれて空気が吸着剤と接触している時間が長くなる。このため、吸着剤に空気中の水分を吸着させる動作中であれば、調湿用部材（51,52,…）が空気から奪う水分の量が多くなり、調湿用部材（51,52,…）の下流における空気の絶対湿度が低くなる。また、吸着剤から水分を脱離させる動作中であれば、調湿用部材（51,52,…）から空気へ付与される水分の量が多くなり、調湿用部材（51,52,…）の下流における空気の絶対湿度が高くなる。つまり、調湿用部材（51,52,…）を通過する空気の流量が減少すると、それに伴って調湿用部材（51,52,…）の前後における空気の絶対湿度の差が拡大する。
【００１４】
そこで、第２の発明では、“調湿用部材（51,52,…）を通過する空気の流量が減少するのに伴って、調湿用部材（51,52,…）の前後における空気の絶対湿度の差が拡大する”という現象を利用して調湿用部材（51,52,…）を通過する空気の流量を推定する。
【００１５】
第３の発明は、上記第１の発明において、上記風量推定手段（94）は、上記調湿用部材（51,52,…）を通過する空気の流量が所定の基準値である状態での該調湿用部材（51,52,…）の上流における空気の絶対湿度と該調湿用部材（51,52,…）の下流における空気の絶対湿度との差の推定値を、上記入口側湿度検出手段（61,71,…）の検出値を用いて算出すると共に、算出した上記推定値に比べて上記入口側湿度検出手段（61,71,…）の検出値と上記出口側湿度検出手段（62,72,…）の検出値との差が大きい場合に上記調湿用部材（51,52,…）を通過する空気の流量が上記基準値よりも少なくなっていると判断するものである。
【００１６】
第３の発明において、風量推定手段（94）は、調湿用部材（51,52,…）を通過する空気の流量が所定の基準値である場合における“調湿用部材（51,52,…）の前後における空気の絶対湿度の差”を、入口側湿度検出手段（61,71,…）の検出値を用いて推定する。風量推定手段（94）は、“調湿用部材（51,52,…）の前後における空気の絶対湿度の差”の推定値とその実測値（即ち、入口側湿度検出手段（61,71,…）の検出値と出口側湿度検出手段（62,72,…）の検出値との差）とを比較する。上述したように、調湿用部材（51,52,…）を通過する空気の流量が減少すると、それに伴って調湿用部材（51,52,…）の前後における空気の絶対湿度の差が拡大する。そこで、風量推定手段（94）は、“調湿用部材（51,52,…）の前後における空気の絶対湿度の差”の実測値がその推定値よりも大きくなっていると、その時点で実際に調湿用部材（51,52,…）を通過している空気の流量が基準値よりも低くなっていると判断する。
【００１７】
第４の発明は、上記第３の発明において、上記調湿用部材（51,52,…）へ空気を供給する送風ファン（25,26）を備える一方、上記風量推定手段（94）は、上記調湿用部材（51,52,…）の上流における空気の絶対湿度と該調湿用部材（51,52,…）の下流における空気の絶対湿度との差の推定値を算出する際に、上記入口側湿度検出手段（61,71,…）の検出値と上記送風ファン（25,26）の回転速度とを用いるものである。
【００１８】
第４の発明において、風量推定手段（94）は、入口側湿度検出手段（61,71,…）の検出値と共に送風ファン（25,26）の回転速度を用いて、“調湿用部材（51,52,…）の前後における空気の絶対湿度の差”の推定値を算出する。例えば送風ファン（25,26）の回転速度が可変である場合、送風ファン（25,26）の回転速度が変化すると、調湿用部材（51,52,…）を通過する空気の流量が変化する。上述したように、調湿用部材（51,52,…）を通過する空気の流量が変化すると、調湿用部材（51,52,…）と空気の間で授受される水分の量が変化する。そこで、この発明の風量推定手段（94）は、“調湿用部材（51,52,…）の前後における空気の絶対湿度の差”の推定値を算出する際に、送風ファン（25,26）の回転速度も考慮する。
【００１９】
第５の発明は、上記第３の発明において、冷媒を循環させて冷凍サイクルを行う冷媒回路（50,100）を備え、該冷媒回路（50,100）の冷媒から放出される熱を利用して上記調湿用部材（51,52,…）を再生するように構成される一方、上記風量推定手段（94）は、上記調湿用部材（51,52,…）の上流における空気の絶対湿度と該調湿用部材（51,52,…）の下流における空気の絶対湿度との差の推定値を算出する際に、上記入口側湿度検出手段（61,71,…）の検出値と上記冷媒回路（50,100）に設けられた圧縮機（53,101）の容量とを用いるものである。
【００２０】
第５の発明では、冷媒回路（50,100）での冷凍サイクルにより得られる温熱を利用して、調湿用部材（51,52,…）の再生が行われる。つまり、調湿用部材（51,52,…）の再生中には、そこに設けられた吸着剤が冷凍サイクルにより得られた温熱によって加熱され、その吸着剤から水分が脱離する。
【００２１】
ここで、冷媒回路（50,100）の圧縮の容量が変化すると、冷媒回路（50,100）における冷媒の循環量が変化し、冷凍サイクルにより得られる温熱の量が変化する。その結果、調湿用部材（51,52,…）の再生に利用される温熱量が変化し、調湿用部材（51,52,…）から脱離する水分の量が変化する。また、再生の終了後に調湿用部材（51,52,…）に残存する水分の量が変化すると、その後に調湿用部材（51,52,…）へ吸着される水分の量が変化する。つまり、冷媒回路（50,100）の圧縮機（53,101）の容量が可変である場合には、調湿用部材（51,52,…）と空気の間で授受される水分の量が、圧縮機（53,101）の容量に応じて変化する。そこで、第５の発明の風量推定手段（94）は、“調湿用部材（51,52,…）の前後における空気の絶対湿度の差”の推定値を算出する際に、入口側湿度検出手段（61,71,…）の検出値と共に圧縮機（53,101）の容量を考慮する。
【００２２】
第６の発明は、上記第１の発明において、上記風量推定手段（94）は、上記調湿用部材（51,52,…）を通過する空気の流量が所定の基準値である状態での該調湿用部材（51,52,…）の下流における空気の絶対湿度の推定値を、上記入口側湿度検出手段（61,71,…）の検出値を用いて算出すると共に、上記調湿用部材（51,52,…）に空気中の水分を吸着させる動作中には、算出した上記推定値に比べて上記出口側湿度検出手段（62,72,…）の検出値が低い場合に上記調湿用部材（51,52,…）を通過する空気の流量が上記基準値よりも少なくなっていると判断する一方、上記調湿用部材（51,52,…）から脱離した水分を空気に付与する動作中には、算出した上記推定値に比べて上記出口側湿度検出手段（62,72,…）の検出値が高い場合に上記調湿用部材（51,52,…）を通過する空気の流量が上記基準値よりも少なくなっていると判断するものである。
【００２３】
第６の発明において、風量推定手段（94）は、調湿用部材（51,52,…）を通過する空気の流量が所定の基準値である場合における“調湿用部材（51,52,…）の下流における空気の絶対湿度”を、入口側湿度検出手段（61,71,…）の検出値を用いて推定する。そして、風量推定手段（94）は、“調湿用部材（51,52,…）の下流における空気の絶対湿度”の推定値とその実測値（即ち、出口側湿度検出手段（62,72,…）の検出値との差）とを比較する。
【００２４】
上述したように、調湿用部材（51,52,…）を通過する空気の流量が減少すると、それに伴って調湿用部材（51,52,…）の前後における空気の絶対湿度の差が拡大する。そこで、第６の発明の風量推定手段（94）は、調湿用部材（51,52,…）に空気中の水分を吸着させる動作中において、“調湿用部材（51,52,…）の下流における空気の絶対湿度”の実測値がその推定値よりも低くなっていると、その時点で実際に調湿用部材（51,52,…）を通過している空気の流量が基準値よりも低くなっていると判断する。また、この風量推定手段（94）は、調湿用部材（51,52,…）から脱離した水分を空気に付与する動作中において、“調湿用部材（51,52,…）の下流における空気の絶対湿度”の実測値がその推定値よりも高くなっていると、その時点で実際に調湿用部材（51,52,…）を通過している空気の流量が基準値よりも低くなっていると判断する。
【００２５】
第７の発明は、上記第６の発明において、上記調湿用部材（51,52,…）へ空気を供給する送風ファン（25,26）を備える一方、上記風量推定手段（94）は、上記調湿用部材（51,52,…）の下流における空気の絶対湿度の推定値を算出する際に、上記入口側湿度検出手段（61,71,…）の検出値と上記送風ファン（25,26）の回転速度とを用いるものである。
【００２６】
第７の発明において、風量推定手段（94）は、入口側湿度検出手段（61,71,…）の検出値と共に送風ファン（25,26）の回転速度を用いて、“調湿用部材（51,52,…）の下流における空気の絶対湿度”の推定値を算出する。例えば送風ファン（25,26）の回転速度が可変である場合、送風ファン（25,26）の回転速度が変化すると、調湿用部材（51,52,…）を通過する空気の流量が変化する。上述したように、調湿用部材（51,52,…）を通過する空気の流量が変化すると、調湿用部材（51,52,…）と空気の間で授受される水分の量が変化する。そこで、この発明の風量推定手段（94）は、“調湿用部材（51,52,…）の下流における空気の絶対湿度”の推定値を算出する際に、送風ファン（25,26）の回転速度も考慮する。
【００２７】
第８の発明は、上記第６の発明において、冷媒を循環させて冷凍サイクルを行う冷媒回路（50,100）を備え、該冷媒回路（50,100）の冷媒から放出される熱を利用して上記調湿用部材（51,52,…）を再生するように構成される一方、上記風量推定手段（94）は、上記調湿用部材（51,52,…）の下流における空気の絶対湿度の推定値を算出する際に、上記入口側湿度検出手段（61,71,…）の検出値と上記冷媒回路（50,100）に設けられた圧縮機（53,101）の容量とを用いるものである。
【００２８】
第８の発明では、冷媒回路（50,100）での冷凍サイクルにより得られる温熱を利用して、調湿用部材（51,52,…）の再生が行われる。つまり、調湿用部材（51,52,…）の再生中には、そこに設けられた吸着剤が冷凍サイクルにより得られた温熱によって加熱され、その吸着剤から水分が脱離する。
【００２９】
ここで、冷媒回路（50,100）の圧縮機（53,101）の容量が変化すると、冷媒回路（50,100）における冷媒の循環量が変化し、冷凍サイクルにより得られる温熱の量が変化する。その結果、調湿用部材（51,52,…）の再生に利用される温熱量が変化し、調湿用部材（51,52,…）から脱離する水分の量が変化する。また、再生の終了後に調湿用部材（51,52,…）に残存する水分の量が変化すると、その後に調湿用部材（51,52,…）へ吸着される水分の量が変化する。つまり、冷媒回路（50,100）の圧縮機（53,101）の容量が可変である場合には、調湿用部材（51,52,…）と空気の間で授受される水分の量が、圧縮機（53,101）の容量に応じて変化する。そこで、第８の発明の風量推定手段（94）は、“調湿用部材（51,52,…）の下流における空気の絶対湿度”の推定値を算出する際に、入口側湿度検出手段（61,71,…）の検出値と共に圧縮機（53,101）の容量を考慮する。
【００３０】
第９の発明は、上記第１，第２，第３又は第６の発明において、上記調湿用部材（51,52,…）を複数備えており、第１の調湿用部材（51,111,151）を再生すると同時に第２の調湿用部材（52,112,152）に空気中の水分を吸着させる第１動作と、第１の調湿用部材（51,111,151）に空気中の水分を吸着させると同時に第２の調湿用部材（52,112,152）を再生する第２動作とを交互に繰り返し行うように構成されるものである。
【００３１】
第９の発明では、調湿装置（10）が第１動作と第２動作を交互に繰り返して行う。第１動作では、第２動作中に水分を吸着した第１の調湿用部材（51,111,151）が再生される一方、第２動作中に再生された第２の調湿用部材（52,112,152）が空気中の水分を吸着する。第２動作では、第１動作中に水分を吸着した第２の調湿用部材（52,112,152）が再生される一方、第２動作中に再生された第１の調湿用部材（51,111,151）が空気中の水分を吸着する。
【００３２】
第１０の発明は、上記第９の発明において、冷媒を循環させて冷凍サイクルを行う冷媒回路（50）を備え、外表面に吸着剤が担持されると共に上記冷媒回路（50）に接続される吸着熱交換器（51,52）が、上記調湿用部材として設けられており、上記冷媒回路（50）は、第１の吸着熱交換器（51）が凝縮器になって第２の吸着熱交換器（52）が蒸発器になる動作と、第２の吸着熱交換器（52）が凝縮器になって第１の吸着熱交換器（51）が蒸発器になる動作とを切り換えて実行できるように構成されるものである。
【００３３】
第１０の発明では、調湿装置（10）に冷媒回路（50）が設けられ、冷媒回路（50）に吸着熱交換器（51,52）が接続される。凝縮器として機能する吸着熱交換器（51,52）では、吸着熱交換器（51,52）の表面に担持された吸着剤が冷媒によって加熱され、その吸着剤から水分が脱離する。蒸発器として機能する吸着熱交換器（51,52）では、吸着熱交換器（51,52）の表面に担持された吸着剤に空気中の水分が吸着され、その際に発生した吸着熱が冷媒に吸熱される。第１動作中において、冷媒回路（50）は、第１の吸着熱交換器（51）が凝縮器になって第２の吸着熱交換器（52）が蒸発器になる動作を行う。第２動作中において、冷媒回路（50）は、第２の吸着熱交換器（52）が凝縮器になって第１の吸着熱交換器（51）が蒸発器になる動作を行う。
【００３４】
第１１の発明は、上記第１，第２，第３又は第６の発明において、上記調湿用部材（51,52,…）の上流に配置されて空気を浄化するフィルタ部材（27,28）と、上記風量推定手段（94）が推定した空気流量の推定値を利用して上記フィルタ部材（27,28）の目詰まりの状態を検出するフィルタ状態検出手段（93）とを備えるものである。
【００３５】
第１１の発明では、フィルタ状態検出手段（93）が調湿装置（10）に設けられる。フィルタ部材（27,28）に捕集された塵埃等の量が増大してゆくと、それに伴って空気がフィルタ部材（27,28）を通過する際の抵抗（即ち、圧力損失）が増大する。このため、空気を流通させるためのファン等の送風能力を変更しない限り、フィルタ部材（27,28）を通過する空気の流量、即ち調湿用部材（51,52,…）通過する空気の流量が減少してゆく。このように、フィルタ部材（27,28）の目詰まりの程度と、調湿用部材（51,52,…）通過する空気の流量との間には相関がある。そこで、この発明のフィルタ状態検出手段（93）は、風量推定手段（94）が推定した空気流量の推定値を用いて、フィルタ部材（27,28）の目詰まり状態を検出する。
【００３６】
第１２の発明は、上記第１１の発明において、構成機器の運転状態を制御しながら上記調湿用部材（51,52,…）で湿度調節した空気を室内へ供給する通常運転と、構成機器の運転状態を一定に保持した状態で上記フィルタ状態検出手段（93）に上記フィルタ部材（27,28）の目詰まりの状態を検出させるフィルタ状態検出運転とが選択的に実行可能となっているものである。
【００３７】
第１２の発明において、調湿装置（10）では、通常運転とフィルタ状態検出運転とが選択的に行われる。通常運転中は、調湿装置（10）の構成機器の運転状態が適宜制御される。一方、フィルタ状態検出運転中は、調湿装置（10）の構成機器の運転状態が固定され、その状態でフィルタ状態検出手段（93）がフィルタ部材（27,28）の目詰まりの状態を検出する。
【００３８】
第１３の発明は、上記第１，第２，第３又は第６の発明において、室内と室外とを連通させるための空気通路を形成するケーシング（11）と、上記空気通路に配置されて空気を搬送する送風ファン（25,26）とを備え、取り込んだ室外空気を上記調湿用部材（51,52,…）で湿度調節してから室内へ供給するように構成される一方、上記空気通路における通風抵抗が変化しても室内へ供給される空気の流量が目標送風量に維持されるように、上記風量推定手段（94）が推定した空気流量の推定値を利用して上記送風ファン（25,26）の送風能力を調節するファン制御手段（91）が設けられるものである。
【００３９】
第１３の発明において、調湿装置（10）は、取り込んだ室外空気を上記調湿用部材（51,52,…）で湿度調節してから室内へ供給する。つまり、この調湿装置（10）は、室内の換気を行う。室内を換気する場合は、常に一定の換気量を確保することが必要となる。つまり、この発明の調湿装置（10）には、湿度調節後に室内へ供給する空気の流量を一定に保つことが必要である。一方、調湿装置（10）の運転中には、調湿用部材（51,52,…）の汚れ等に起因して、空気がケーシング内の空気通路を通過する間の圧力損失が増大する。このため、何らの対策も講じなければ、調湿装置（10）から室内へ供給される空気の流量が次第に減少してゆくことになる。そこで、この発明の調湿装置（10）、即ち室内換気を行う調湿装置（10）では、風量推定手段（94）が調湿用部材（51,52,…）を通過する空気の流量を推定し、風量推定手段（94）により算出された風量の推定値を利用してファン制御手段（91）が送風ファン（25,26）の送風能力を調節する。
【００４０】
第１４の発明は、上記第１３の発明において、上記ケーシング（11）には、上記空気通路としての給気用通路と排気用通路とが形成されると共に、上記給気用通路に配置されて室外空気を室内に供給する給気ファン（26）と、上記排気用通路に配置されて室内空気を室外に排出する排気ファン（25）とが上記送風ファンとして収容され、上記ファン制御手段（91）は、上記給気用通路における通風抵抗が変化しても室内へ供給される空気の流量が目標給気量に維持されるように上記給気ファン（26）の送風能力を調節する給気側制御手段（95）と、上記排気用通路における送風抵抗が変化しても室外へ排出される空気の流量が目標排気量に維持されるように上記排気ファン（25）の送風能力を調節する排気側制御手段（96）とを備えるものである。
【００４１】
第１４の発明において、調湿装置（10）は、室外から室内への給気を給気ファン（26）により行い、室内から室外への排気を排気ファン（25）により行う。つまり、この調湿装置（10）は、室内への給気と室内からの排気の両方を機械的に行う。この調湿装置（10）において、室内の気圧を一定に保つには、室内へ供給される空気の流量と室外へ排出される空気の流量とを互いに同じ値にする必要がある。また、例えば室内の気圧を大気圧よりも僅かに高い値に保つために給気量が排気量よりも大きな値に設定される場合もあるが、その場合も給気量と排気量の値が一定に保たれないと室内の気圧が高くなり過ぎたり低くなりすぎる。そこで、この発明の調湿装置（10）では、給気側制御手段（95）が給気ファン（26）を制御して給気量を一定に保つと共に、排気側制御手段（96）が排気ファン（25）を制御して排気量を一定に保つようにしている。
【発明の効果】
【００４２】
本発明において、風量推定手段（94）は、入口側湿度検出手段（61,71,…）の検出値と出口側湿度検出手段（62,72,…）の検出値とを用いて、調湿用部材（51,52,…）を通過する空気の流量を推定している。調湿装置（10）の調湿用部材（51,52,…）を通過する際の空気の絶対湿度の変化量は、調湿用部材（51,52,…）を通過する空気の流量に影響を受ける。従って、本発明によれば、調湿用部材（51,52,…）の前後における空気の絶対湿度を考慮することによって、調湿用部材（51,52,…）を通過する空気の流量を推定することが可能になる。
【００４３】
ここで、入口側湿度検出手段（61,71,…）や出口側湿度検出手段（62,72,…）は、調湿装置（10）の能力制御等の様々な用途に利用可能な検出手段であるが、本発明によれば、このような汎用性の高い検出手段を利用して調湿用部材（51,52,…）を通過する空気の流量を推定できる。つまり、例えば専ら風量だけを検出する風量センサのような用途の限られた検出手段を調湿装置（10）を設けると調湿装置（10）の部品点数が増加する等の問題が生じるが、本発明によれば、他の用途にも利用可能な検出手段を利用して空気の流量を推定できるため、調湿装置（10）の部品点数の増加を抑えつつ空気流量の推定を行うことができる。
【００４４】
上記第４の発明において、風量推定手段（94）は、“調湿用部材（51,52,…）の前後における空気の絶対湿度の差”の推定値を算出する際に、入口側湿度検出手段（61,71,…）の検出値と送風ファン（25,26）の回転速度とを考慮している。また、上記第７の発明において、風量推定手段（94）は、“調湿用部材（51,52,…）の下流における空気の絶対湿度”の推定値を算出する際に、入口側湿度検出手段（61,71,…）の検出値と送風ファン（25,26）の回転速度とを考慮している。従って、これらの発明によれば、送風ファン（25,26）の回転速度が可変である場合においても、風量推定手段（94）によって調湿用部材（51,52,…）を通過する風量を精度よく推定できる。
【００４５】
上記第５の発明において、風量推定手段（94）は、“調湿用部材（51,52,…）の前後における空気の絶対湿度の差”の推定値を算出する際に、入口側湿度検出手段（61,71,…）の検出値と共に圧縮機（53,101）の容量を考慮する。また、上記第８の発明において、風量推定手段（94）は、“調湿用部材（51,52,…）の下流における空気の絶対湿度”の推定値を算出する際に、入口側湿度検出手段（61,71,…）の検出値と共に圧縮機（53,101）の容量を考慮する。従って、これらの発明によれば、圧縮機（53,101）の容量が可変である場合においても、風量推定手段（94）によって調湿用部材（51,52,…）を通過する風量を精度よく推定できる。
【００４６】
上記第１１の発明において、フィルタ状態検出手段（93）は、風量推定手段（94）が推定した空気流量の推定値を利用してフィルタ部材（27,28）の目詰まり状態を検出している。フィルタ部材（27,28）の目詰まり状態を検出できれば、その目詰まりの程度に応じてユーザーにフィルタ部材（27,28）の掃除を促す表示を出すことも可能となり、調湿装置（10）の性能低下を抑制することが可能となる。
【００４７】
上記第１２の発明において、調湿装置（10）は、フィルタ状態検出運転を行う。ここで、調湿装置（10）の構成機器の運転状態が変化すると、それに伴って入口側湿度検出手段（61,71,…）の検出値や出口側湿度検出手段（62,72,…）の検出値が変動するため、風量推定手段（94）により得られる空気流量の推定値の精度を確保するのが困難になる。これに対し、フィルタ状態検出運転中には、調湿装置（10）の構成機器の運転状態が一定に保たれる。従って、この発明によれば、風量推定手段（94）により得られる空気流量の推定値の精度を容易に向上させることができる。
【００４８】
上記第１３の発明では、風量推定手段（94）が調湿用部材（51,52,…）を通過する空気の流量を推定し、風量推定手段（94）により算出された風量の推定値を利用してファン制御手段（91）が送風ファン（25,26）の送風能力を調節している。従って、この発明によれば、調湿用部材（51,52,…）の汚れ等に起因して空気がケーシングを通過する間の圧力損失が増大しても、調湿装置（10）から室内へ供給される空気の流量を確保することが可能となる。
【００４９】
上記第１４の発明では、給気側制御手段（95）が給気ファン（26）を制御することによって給気量が一定に保たれ、排気側制御手段（96）が排気ファン（25）を制御することによって排気量が一定に保たれる。従って、この発明によれば、調湿用部材（51,52,…）の汚れ等に起因して空気がケーシングを通過する間の圧力損失が増大した状態においても、室内の気圧を確実に一定に保つことができる。
【発明を実施するための最良の形態】
【００５０】
以下、本発明の実施形態を図面に基づいて詳細に説明する。
【００５１】
《発明の実施形態１》
本発明の実施形態について説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００５２】
〈調湿装置の全体構成〉
上記調湿装置（10）について、図１及び図２を参照しながら説明する。尚、ここでの説明で用いる「上」「下」「左」「右」「前」「後」「手前」「奥」は、特にことわらない限り、上記調湿装置（10）を前面側から見た場合の方向を意味している。
【００５３】
上記調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００５４】
上記ケーシング（11）は、やや扁平で高さが比較的低い直方体状に形成されている。このケーシング（11）では、図１における左手前側に前面パネル（12）が、同図における右奥側に背面パネル（13）がそれぞれ立設されており、同図における左手前から右奥へ向かう方向の長さと右手前から左奥へ向かう方向の長さがほぼ等しくなっている。
【００５５】
ケーシング（11）の前面パネル（12）では、左寄りの位置に排気口（21）が、右寄りの位置に給気口（22）がそれぞれ開口している。ケーシング（11）の背面パネル（13）の中央部には上寄りの位置に外気吸込口（23）が、下寄りの位置に内気吸込口（24）がそれぞれ開口している。
【００５６】
上記ケーシング（11）の内部空間は、前面パネル（12）側の比較的容積が小さい空間と、背面パネル（13）側の比較的容積が大きい空間とに区画されている。
【００５７】
上記ケーシング（11）内における前面パネル（12）側の空間は、左右２つの空間に仕切られている。この左右に仕切られた空間は、左側の空間が排気ファン室（35）を、右側の空間が給気ファン室（36）をそれぞれ構成している。排気ファン室（35）は、排気口（21）を介して室外空間と連通している。この排気ファン室（35）には排気ファン（25）が収容されており、排気ファン（25）の吹出口が排気口（21）に接続されている。一方、給気ファン室（36）は、給気口（22）を介して室内空間と連通している。この給気ファン室（36）には、給気ファン（26）が収容されており、給気ファン（26）の吹出口が給気口（22）に接続されている。また、給気ファン室（36）には、圧縮機（53）も収容されている。
【００５８】
一方、上記ケーシング（11）内の背面パネル（13）側の空間は、ケーシング（11）内に立設された第１仕切板（16）及び第２仕切板（17）によって前後３つの空間に仕切られている。これら仕切板（16,17）は、ケーシング（11）の左右方向に延びている。第１仕切板（16）はケーシング（11）の背面寄りに、第２仕切板（17）はケーシング（11）の前面寄りにそれぞれ配置されている。
【００５９】
上記ケーシング（11）内において、第１仕切板（16）の奥の空間は上下２つの空間に仕切られており、上側の空間が外気側流路（32）を、下側の空間が内気側流路（34）をそれぞれ構成している。外気側流路（32）は、外気吸込口（23）を介して室外空間と連通している。外気側流路（32）には、左右に延びてその流路（32）を前後に区画するフィルタ部材である外気側フィルタ（27）が設けられている。内気側流路（34）は内気吸込口（24）を介して室内と連通している。内気側流路（34）には、左右に延びてその流路（34）を前後に区画するフィルタ部材である内気側フィルタ（28）が設けられている。
【００６０】
一方、第２仕切板（17）の手前の空間は上下２つの空間に仕切られており、上側の空間が排気側流路（31）を、下側の空間が給気側流路（33）を構成している。排気側流路（31）は、排気ファン室（35）と連通している。給気側流路（33）は、給気ファン室（36）と連通している。
【００６１】
第１仕切板（16）と第２仕切板（17）との間の空間は、更に中央仕切板（18）によって左右２つの空間に仕切られている。そして、中央仕切板（18）の右側の空間が第１熱交換器室（37）を構成し、その左側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を左右方向へ横断するように配置されている。
【００６２】
上記第１仕切板（16）には、開閉式のダンパ（41〜44）が４つ設けられている。具体的に、第１仕切板（16）では、右側の上部に第１ダンパ（41）が、左側の上部に第２ダンパ（42）が、右側の下部に第３ダンパ（43）が、左側の下部に第４ダンパ（44）がそれぞれ取り付けられている。第１ダンパ（41）を開くと、外気側流路（32）と第１熱交換器室（37）が連通する。第２ダンパ（42）を開くと、外気側流路（32）と第２熱交換器室（38）が連通する。第３ダンパ（43）を開くと、内気側流路（34）と第１熱交換器室（37）が連通する。第４ダンパ（44）を開くと、内気側流路（34）と第２熱交換器室（38）が連通する。
【００６３】
上記第２仕切板（17）には、開閉式のダンパ（45〜48）が４つ設けられている。具体的に、第２仕切板（17）では、右側の上部に第５ダンパ（45）が、左側の上部に第６ダンパ（46）が、右側の下部に第７ダンパ（47）が、左側の下部に第８ダンパ（48）がそれぞれ取り付けられている。第５ダンパ（45）を開くと、排気側流路（31）と第１熱交換器室（37）が連通する。第６ダンパ（46）を開くと、排気側流路（31）と第２熱交換器室（38）が連通する。第７ダンパ（47）を開くと、給気側流路（33）と第１熱交換器室（37）が連通する。第８ダンパ（48）を開くと、給気側流路（33）と第２熱交換器室（38）が連通する。
【００６４】
外気側流路（32）における外気側フィルタ（27）の下流側には、外気温度センサ（61）及び外気湿度センサ（71）が設置されている。外気温度センサ（61）は、外気側流路（32）を流れる室外空気の温度を計測する。外気湿度センサ（71）は、外気側流路（32）を流れる室外空気の相対湿度を計測する。外気温度センサ（61）及び外気湿度センサ（71）は、後述するコントローラ（90）と共に、吸着熱交換器（51,52）の上流における空気の絶対湿度を検出する入口側湿度検出手段を構成している。
【００６５】
給気側流路（33）には、給気温度センサ（62）及び給気湿度センサ（72）が設置されている。給気側流路（33）では、吸着熱交換器（51,52）を通過した空気が流通する。給気温度センサ（62）は、給気側流路（33）を流れる空気の温度を計測する。給気湿度センサ（72）は、給気側流路（33）を流れる室外空気の相対湿度を計測する。給気温度センサ（62）及び給気湿度センサ（72）は、後述するコントローラ（90）と共に、吸着熱交換器（51,52）の下流における空気の絶対湿度を検出する出口側湿度検出手段を構成している。
【００６６】
内気側流路（34）における内気側フィルタ（28）の下流側には、内気温度センサ（63）及び内気湿度センサ（73）が設置されている。内気温度センサ（63）は、内気側流路（34）を流れる室内空気の温度を計測する。内気湿度センサ（73）は、内気側流路（34）を流れる室内空気の相対湿度を計測する。
【００６７】
〈冷媒回路の構成〉
上記冷媒回路（50）について、図３を参照しながら説明する。
【００６８】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００６９】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００７０】
上記四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００７１】
図４に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００７２】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。第１吸着熱交換器（51）及び第２吸着熱交換器（52）は、調湿用部材を構成している。
【００７３】
〈コントローラの構成〉
調湿装置（10）には、コントローラ（90）が設けられている。図５に示すように、コントローラ（90）には、排気ファン（25）及び給気ファン（26）の風量を制御するファン制御部（91）と、調湿装置（10）の調湿能力を調節するために冷媒回路（50）の冷凍サイクルの状態を制御する調湿制御部（92）と、外気側フィルタ（27）の目詰まりの状態を検出するフィルタ状態検出手段であるフィルタ状態検出部（93）と、吸着熱交換器（51,52）を通過する空気の風量Ｑを推定する風量推定部（94）とが設けられている。
【００７４】
ファン制御部（91）には、給気ファン（26）及び排気ファン（25）の風量を「大」「中」「小」の３段階に設定できるように構成されている。具体的に、ファン制御部（91）は、給気ファン（26）及び排気ファン（25）のファンモータに供給される電力の電流値（或いは電圧値）を３段階に変更することによって、給気ファン（26）及び排気ファン（25）の風量を調節する。
【００７５】
調湿制御部（92）には、図示しないが、ユーザーが希望の室内湿度を入力する湿度入力部と、ユーザーが希望の室内温度を入力する温度入力部とが設けられている。
【００７６】
湿度入力部は、希望の室内湿度を「低」「中」「高」の３段階の中から選択可能に構成されている。調湿制御部（92）には、「低」「中」「高」のそれぞれに対応する相対湿度の範囲が予め設定されている。湿度入力部に「低」「中」「高」の何れかが入力されていると、調湿制御部（92）は、その入力に対応する相対湿度の範囲を目標湿度に設定する。
【００７７】
一例を示すと、湿度入力部に「低」が入力されると調湿制御部（92）は「４０％以上５０％未満」を目標湿度に設定し、湿度入力部に「中」が入力されると調湿制御部（92）は「５０％以上６０％未満」を目標湿度に設定し、湿度入力部に「高」が入力されると調湿制御部（92）は「６０％以上７０％未満」を目標湿度に設定する。また、調湿制御部（92）は、温度入力部に希望の室内温度が入力されていると、その希望の室内温度を目標温度（例えば２５℃）に設定する。
【００７８】
調湿制御部（92）は、図示しないが演算部を備えている。演算部は、目標湿度及び目標温度からその温度と湿度における絶対湿度を算出する。調湿制御部（92）は、演算部で算出した絶対湿度を目標絶対湿度に設定し、室内の絶対湿度が目標絶対湿度に近づくように調湿装置（10）の調湿能力を調節する。
【００７９】
風量推定部（94）は、吸着熱交換器（51,52）を通過する空気の風量Ｑを推定する。風量推定部（94）には、吸着熱交換器（51,52）を通過する空気の風量Ｑを推定するために、式１に示すデータべース関数が記憶されている。
式１：Ｘsa＝Ｊ（Ｘoa,Ｑ,Ｆ）＋Ｋ
【００８０】
上記式１において、Ｘsaは供給空気（SA）の絶対湿度（即ち、吸着熱交換器（51,52）の下流における空気の絶対湿度）を、Ｘoaは室外空気（OA）の絶対湿度（即ち、吸着熱交換器（51,52）の上流における空気の絶対湿度）を、Ｑは吸着熱交換器（51,52）を通過する空気の風量を、Ｆは圧縮機（53）の運転周波数（即ち、圧縮機（53）へ供給される交流の周波数）を、Ｋはダクトによる圧力損失や調湿装置（10）を設置する室内空間の特性を考慮した補正値を、それぞれ表している。なお、吸着熱交換器（51,52）を通過する空気の風量Ｑは、給気ファン（26）によって室内へ供給される風量とほぼ一致すると考えて差し支えない。
【００８１】
上記式１のデータベース関数は、供給空気（SA）の絶対湿度Ｘsaを、室外空気（OA）の絶対湿度Ｘoa、外気側フィルタ（27）を通過する空気の風量Ｑ、及び圧縮機（53）の運転周波数Ｆの関数として表現したものである。この式１のデータベース関数は、調湿装置（10）の設計時に式２のデータベース関数を作成し、調湿装置（10）を設置する際にＫの値を決定したものである。
式２：Ｘsa＝Ｊ（Ｘoa,Ｑ,Ｆ）
【００８２】
式２のデータベース関数は、外気側フィルタ（27）の初期状態において、給気ファン（26）の風量Ｑ、圧縮機（53）の運転周波数Ｆ、及び外気吸込口（23）から取り込まれる室外空気（OA）の絶対湿度Ｘoaを変化させながら、内気吸込口（24）から吹き出される供給空気（SA）の絶対湿度Ｘsaを計測し、得られたデータを風量Ｑと運転周波数Ｆと絶対湿度Ｘoaとの相関式として整理することにより作成している。その際、室外空気（OA）の絶対湿度Ｘoaは、風量推定部（94）が外気温度センサ（61）の検出値と外気湿度センサ（71）の検出値とを用いて算出する。また、供給空気（SA）の絶対湿度Ｘsaは、風量推定部（94）が給気温度センサ（62）の検出値と給気湿度センサ（72）の検出値とを用いて算出する。なお、「外気側フィルタ（27）の初期状態」とは、「調湿装置（10）を設置した直後や外気側フィルタ（27）を洗浄又は交換した直後で外気側フィルタ（27）に汚れが付着していない状態」を意味する。
【００８３】
ところで、外気側フィルタ（27）を通過する空気の風量Ｑ（即ち、吸着熱交換器（51,52）を通過する空気の流量）が変化すると、吸着熱交換器（51,52）の前後における空気の絶対湿度の差が変化する。具体的に、風量Ｑが減少すると、それに伴って吸着剤と接触する際の風速が低下する。そして、吸着剤と接触する空気の流速が低くなればなるほど、空気が吸着剤と接触している時間が長くなる。そのため、吸着熱交換器（51,52）の前後における空気の湿度変化量が増大する。即ち、吸着熱交換器（51,52）を通過する前における空気の絶対湿度と、吸着熱交換器（51,52）を通過した後における空気の絶対湿度との差が拡大する。このように、外気側フィルタ（27）を通過する空気の風量Ｑと、吸着熱交換器（51,52）を通過する空気の湿度変化量との間には相関がある。
【００８４】
また、圧縮機（53）の運転周波数Ｆが変化すると、冷媒回路（50）での冷媒循環量が変化し、それに伴って、凝縮器となっている吸着熱交換器（51,52）における冷媒からの放熱量や、蒸発器となっている吸着熱交換器（51,52）における冷媒の吸熱量が変化する。このため、吸着熱交換器（51,52）と空気の間でやり取りされる水分の量が変化し、吸着熱交換器（51,52）の前後における空気の絶対湿度の差が変化する。
【００８５】
そこで、式２のデータベース関数では、室外空気（OA）の絶対湿度Ｘoaと、外気側フィルタ（27）を通過する空気の風量Ｑと、圧縮機（53）の運転周波数Ｆとをパラメータとする相関式によって、供給空気（SA）の絶対湿度Ｘsaを表している。
【００８６】
また、調湿装置（10）を設置する際のダクトの長さや形状は、設置場所ごとに異なり、ダクトの圧力損失も設置場所ごとに異なる。このため、ファン制御部（91）において設定された給気ファン（26）の風量が同じであっても、実際に給気ファン（26）から吹き出される空気の流量は、設置場所ごとに異なる。更に、この調湿装置（10）では、室内から取り込む室内空気（RA）の温度及び湿度によって室内への供給空気（SA）の温度又は湿度が変化する。具体的に、調湿装置（10）が室内から取り込む室内空気（RA）の温度又は湿度が変化すると、吸着熱交換器（51,52）での冷媒の吸熱量や吸着剤の水分の吸着量が変化し、それに応じて調湿装置（10）の運転状態も変化するので、室内への供給空気（SA）の温度又は湿度が変化する。このため、ダクトによる圧力損失と調湿装置（10）を設置する室内空間の特性とを考慮したＫを定め、これらの影響を排除している。
【００８７】
式２のデータベース関数は、調湿装置（10）の設置状態における外気側フィルタ（27）を通過する空気の風量Ｑと圧縮機（53）の運転周波数Ｆとに対する吸着熱交換器（51,52）を通過する空気の湿度変化量の関係を表している。この式２のデータベース関数によれば、室外空気（OA）の絶対湿度Ｘoaと、供給空気（SA）の絶対湿度Ｘsaと、圧縮機（53）の運転周波数Ｆとから、外気側フィルタ（27）を通過する空気の風量Ｑを推定することができる。
【００８８】
風量推定部（94）は、給気ファン（26）の風量を「大」に設定した場合、「中」に設定した場合、「小」に設定した場合のそれぞれについて、式１を用いて初期状態の外気側フィルタ（27）を通過する空気の風量Ｑ(0)を推定する。その際、圧縮機（53）の運転周波数Ｆの値は、調湿制御部（92）から風量推定部（94）へ伝達される。給気ファン（26）の風量が「大」のときの風量の推定値ＱH(0)と、それが「中」のときの風量の推定値ＱM(0)と、それが「小」のときの風量の推定値ＱL(0)とは、フィルタ状態検出部（93）に記憶される。
【００８９】
フィルタ状態検出部（93）は、風量推定部（94）によって推定された吸着熱交換器（51,52）を通過する空気の風量Ｑに基づき、外気側フィルタ（27）の目詰まりの状態を検出する。
【００９０】
フィルタ状態検出部（93）は、毎日所定の時刻（例えば午後０時）になると、風量推定部（94）が外気側フィルタ（27）を通過する空気の風量Ｑを推定する。フィルタ状態検出部（93）は、風量推定部（94）が推定した外気側フィルタ（27）を通過する空気の風量Ｑを上記風量Ｑ(0)と比較して外気側フィルタ（27）の目詰まりの状態を検出する。そして、外気側フィルタ（27）を交換する必要がある場合には、「フィルタ交換サイン」を表示する。フィルタ状態検出部（93）の動作についての詳細は後述する。
【００９１】
−運転動作−
本実施形態の調湿装置（10）では、除湿運転又は加湿運転を行うものである。除湿運転中や加湿運転中の調湿装置（10）は、取り込んだ室外空気（OA）を湿度調節してから供給空気（SA）として室内へ供給すると同時に、取り込んだ室内空気（RA）を排出空気（EA）として室外へ排出する。
【００９２】
〈除湿運転〉
除湿運転中の調湿装置（10）では、後述する第１動作と第２動作が所定の時間間隔（例えば３分間隔）で交互に繰り返される。
【００９３】
まず、除湿運転の第１動作について説明する。図６に示すように、この第１動作中には、第２ダンパ（42）、第３ダンパ（43）、第５ダンパ（45）、及び第８ダンパ（48）だけが開状態となり、残りのダンパ（41,44,46,47）が閉状態となる。そして、この状態で調湿装置（10）の給気ファン（26）及び排気ファン（25）が運転される。給気ファン（26）を運転すると、室外空気が外気吸込口（23）からケーシング（11）内へ第１空気として取り込まれる。排気ファン（25）を運転すると、室内空気が内気吸込口（24）からケーシング（11）内へ第２空気として取り込まれる。
【００９４】
この第１動作中の冷媒回路（50）では、図３(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【００９５】
外気吸込口（23）から外気側流路（32）へ流入した第１空気は、第２ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第８ダンパ（48）を通って給気側流路（33）へ流入し、給気ファン室（36）を通過後に給気口（22）を通って室内へ供給される。
【００９６】
一方、内気吸込口（24）から内気側流路（34）へ流入した第２空気は、第３ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第５ダンパ（45）を通って排気側流路（31）へ流入し、排気ファン室（35）を通過後に排気口（21）を通って室外へ排出される。
【００９７】
除湿運転の第２動作について説明する。図７に示すように、この第２動作中には、第１ダンパ（41）、第４ダンパ（44）、第６ダンパ（46）、及び第７ダンパ（47）だけが開状態となり、残りのダンパ（42,43,45,48）が閉状態となる。
【００９８】
この第２動作中の冷媒回路（50）では、図３(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第１吸着熱交換器（51）が蒸発器となって第２吸着熱交換器（52）が凝縮器となる。
【００９９】
外気吸込口（23）から外気側流路（32）へ流入した第１空気は、第１ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第７ダンパ（47）を通って給気側流路（33）へ流入し、給気ファン室（36）を通過後に給気口（22）を通って室内へ供給される。
【０１００】
一方、内気吸込口（24）から内気側流路（34）へ流入した第２空気は、第４ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第６ダンパ（46）を通って排気側流路（31）へ流入し、排気ファン室（35）を通過後に排気口（21）を通って室外へ排出される。
【０１０１】
〈加湿運転〉
加湿運転中の調湿装置（10）では、後述する第１動作と第２動作が所定の時間間隔（例えば３分間隔）で交互に繰り返される。
【０１０２】
まず、加湿運転の第１動作について説明する。図８に示すように、この第１動作中には、第１ダンパ（41）、第４ダンパ（44）、第６ダンパ（46）、及び第７ダンパ（47）だけが開状態となり、残りのダンパ（42,43,45,48）が閉状態となる。そして、この状態で調湿装置（10）の給気ファン（26）及び排気ファン（25）が運転される。給気ファン（26）を運転すると、室外空気が外気吸込口（23）からケーシング（11）内へ第２空気として取り込まれる。排気ファン（25）を運転すると、室内空気が内気吸込口（24）からケーシング（11）内へ第１空気として取り込まれる。
【０１０３】
この第１動作中の冷媒回路（50）では、図３(Ａ)に示すように、四方切換弁（54）が第１状態に設定される。そして、この冷媒回路（50）では、除湿運転の第１動作中と同様に、第１吸着熱交換器（51）が凝縮器となって第２吸着熱交換器（52）が蒸発器となる。
【０１０４】
内気吸込口（24）から内気側流路（34）へ流入した第１空気は、第４ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第６ダンパ（46）を通って排気側流路（31）へ流入し、排気ファン室（35）を通過後に排気口（21）を通って室外へ排出される。
【０１０５】
一方、外気吸込口（23）から外気側流路（32）へ流入した第２空気は、第１ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第７ダンパ（47）を通って給気側流路（33）へ流入し、給気ファン室（36）を通過後に給気口（22）を通って室内へ供給される。
【０１０６】
加湿運転の第２動作について説明する。図９に示すように、この第２動作中には、第２ダンパ（42）、第３ダンパ（43）、第５ダンパ（45）、及び第８ダンパ（48）だけが開状態となり、残りのダンパ（41,44,46,47）が閉状態となる。
【０１０７】
この第２動作中の冷媒回路（50）では、図３(Ｂ)に示すように、四方切換弁（54）が第２状態に設定される。そして、この冷媒回路（50）では、除湿運転の第２動作中と同様に、第１吸着熱交換器（51）が蒸発器となって第２吸着熱交換器（52）が凝縮器となる。
【０１０８】
内気吸込口（24）から内気側流路（34）へ流入した第１空気は、第３ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第５ダンパ（45）を通って排気側流路（31）へ流入し、排気ファン室（35）を通過後に排気口（21）を通って室外へ排出される。
【０１０９】
一方、外気吸込口（23）から外気側流路（32）へ流入した第２空気は、第２ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第８ダンパ（48）を通って給気側流路（33）へ流入し、給気ファン室（36）を通過後に給気口（22）を通って室内へ供給される。
【０１１０】
−コントローラの動作−
コントローラ（90）の動作について説明する。
【０１１１】
コントローラ（90）の調湿制御部（92）は、ユーザーが希望する室内湿度になるように圧縮機（53）の運転周波数などを制御する。また、フィルタ状態検出部（93）は、毎日所定の時刻になると外気側フィルタ（27）の目詰まりの状態を検出する。
【０１１２】
調湿制御部（92）の動作について説明する。調湿制御部（92）は、ユーザーが希望の室内湿度及び室内温度を入力すると、その湿度を目標湿度に設定し、その温度を目標温度に設定する。そして、調湿制御部（92）は、演算部で目標温度及び目標湿度からその温度と湿度における絶対湿度を算出し、その算出した絶対湿度を目標絶対湿度に設定する。また、演算部は、外気温度センサ（61）及び外気湿度センサ（71）の検出値から室外空気（OA）の絶対湿度を算出し、内気温度センサ（63）及び内気湿度センサ（73）の検出値から室内空気（RA）の絶対湿度を算出し、給気温度センサ（62）及び給気湿度センサ（72）の検出値から供給空気（SA）の絶対湿度を算出する。
【０１１３】
調湿制御部（92）は、室外空気（OA）、室内空気（RA）及び供給空気（SA）の絶対湿度と上記目標絶対湿度とに基づいて、室内の絶対湿度が目標絶対湿度に近づくように調湿装置（10）の調湿能力を制御する。この調湿装置（10）の調湿能力の制御は、例えば圧縮機（53）の運転周波数を変更して冷媒回路（50）での冷媒循環量を変化させることによって行われる。
【０１１４】
フィルタ状態検出部（93）の動作について、図１０のフロー図を参照しながら説明する。フィルタ状態検出部（93）が外気側フィルタ（27）の目詰まりの状態を検出する際は、その時の給気ファン（26）の風量の設定値に対応した初期状態の風量Ｑ(0)を選択する。具体的に、給気ファン（26）の風量が「大」のときはＱ(0)＝ＱH(0)とし、その風量が「中」のときはＱ(0)＝ＱM(0)とし、その風量が「小」のときはＱ(0)＝ＱL(0)とする。
【０１１５】
まずステップST11で、風量推定部（94）は、外気温度センサ（61）及び外気湿度センサ（71）の検出値と給気温度センサ（62）及び給気湿度センサ（72）の検出値とを受信する。風量推定部（94）は、外気温度センサ（61）の検出値と外気湿度センサ（71）の検出値とを用いて室外空気（OA）の絶対湿度Ｘoaを算出する。また、風量推定部（94）は、給気温度センサ（62）の検出値と給気湿度センサ（72）の検出値とを用いて給気空気（SA）の絶対湿度Ｘsaを算出する。ステップST11が終了するとステップST12に移行する。
【０１１６】
ステップST12において、風量推定部（94）は、調湿制御部（92）から圧縮機（53）の運転周波数Ｆの値を受け取る。そして、風量推定部（94）は、室外空気（OA）の絶対湿度Ｘoaと給気空気（SA）の絶対湿度Ｘsaと圧縮機（53）の運転周波数Ｆと上記式１のデータベース関数とを用いて、外気側フィルタ（27）を通過する空気の風量Ｑを推定する。ステップST12が終了するとステップST13に移行する。
【０１１７】
ステップST13では、フィルタ状態検出部（93）が、推定した風量Ｑを外気側フィルタ（27）の初期状態の風量Ｑ(0)と比較する。そして、フィルタ状態検出部（93）は、式３の条件が成立するとステップST14に移行して「フィルタ交換サイン」を表示する。Ｌは予め設定された定数を表している。ステップST13で式３の条件が成立しない場合とステップST14が終了した場合は、フィルタ状態検出部（93）による外気側フィルタ（27）の目詰まりの状態の検出が終了する。
式３：Ｑ≦Ｑ(0)×Ｌ
【０１１８】
上述したように、フィルタ状態検出部（93）は、毎日所定の時刻になると外気側フィルタ（27）の目詰まりの状態を検出する。そして、式３の条件が成立する場合に「フィルタ交換サイン」を表示する。例えばＬ＝0.9の場合は、フィルタ状態検出部（93）によって検出される外気側フィルタ（27）を通過する空気の風量Ｑが、外気側フィルタ（27）の初期状態における風量Ｑ(0)の90％以下まで低下すると「フィルタ交換サイン」が表示される。
【０１１９】
上述したように、本実施形態の調湿装置（10）では、第１動作と第２動作とが交互に繰り返される。第１動作や第２動作の継続中において、吸着熱交換器（51,52）の下流における空気の絶対湿度は、図１１に示すように変化する。図１１は、除湿運転中に第２吸着熱交換器（52）を通過した第１空気及び第２空気について、それぞれの絶対湿度の時間変化を示したものである。また、図１１では、調湿装置（10）の第１動作が開始された時点を起点とし、この起点を経過時間０分としている。また、図１１は、第１動作と第２動作が３分間毎に切り換わる場合のデータを示している。
【０１２０】
図１１に示すように、除湿運転の第１動作中に第２吸着熱交換器（52）を通過した空気の絶対湿度は、第１動作の開始直後から急激に低下する。そして、この空気の絶対湿度は、第１動作の開始時点から２０〜３０秒後に最小値（ピーク値）に達し、その後は次第に上昇していって室外空気（OA）の絶対湿度に近付いてゆく。また、除湿運転の第２動作中に第２吸着熱交換器（52）を通過した空気の絶対湿度は、第２動作の開始直後に急激に上昇する。そして、この空気の絶対湿度は、第２動作の開始時点から２０〜３０秒後に最大値（ピーク値）に達し、その後は次第に低下していって室内空気（RA）の絶対湿度に近付いてゆく。
【０１２１】
そこで、本実施形態の風量推定部（94）は、第１動作中や第２動作中に吸着熱交換器（51,52）を通過した空気の絶対湿度のピーク値を、給気空気（SA）の絶対湿度Ｘsaとして用いる。
【０１２２】
具体的に、除湿運転中であれば、風量推定部（94）は、第１動作中に吸着熱交換器（51,52）を通過した空気の絶対湿度の最小値を、給気空気（SA）の絶対湿度Ｘsaとして用いる。なお、風量推定部（94）では、所定回数（例えば１０回）の第１動作について吸着熱交換器（51,52）を通過した空気の絶対湿度の最小値を平均し、得られた平均値を給気空気（SA）の絶対湿度Ｘsaとして用いるようにしてもよい。
【０１２３】
また、加湿運転中であれば、風量推定部（94）は、第２動作中に吸着熱交換器（51,52）を通過した空気の絶対湿度の最大値を、給気空気（SA）の絶対湿度Ｘsaとして用いる。なお、風量推定部（94）では、所定回数（例えば１０回）の第２動作について吸着熱交換器（51,52）を通過した空気の絶対湿度の最大値を平均し、得られた平均値を給気空気（SA）の絶対湿度Ｘsaとして用いるようにしてもよい。
【０１２４】
−実施形態１の効果−
本実施形態では、外気側フィルタ（27）の目詰まりの状態が、吸着剤に接触する前後における空気の湿度変化量に影響を与えるので、室外空気（OA）の絶対湿度及び供給空気（SA）の絶対湿度に基づいて外気側フィルタ（27）の目詰まりの状態が検出している。室外空気（OA）の絶対湿度は、外気温度センサ（61）及び外気湿度センサ（71）に基づいて計算され、供給空気（SA）の絶対湿度は、給気温度センサ（62）及び給気湿度センサ（72）に基づいて計算される。ところで、これらの温度や湿度を検出するセンサ（61,62,71,72）は、調湿装置（10）の運転状態の制御に用いられている。この実施形態では、調湿装置（10）の運転状態の制御に用いる温度又は湿度センサ（61,…,71,…）を、外気側フィルタ（27）の目詰まりの状態の検出にも利用している。これにより、外気側フィルタ（27）の目詰まりを検出するために別途センサを設ける必要がなくなるので、調湿装置（10）の構成を複雑化させずに外気側フィルタ（27）の状態を検出することができる。
【０１２５】
ところで、吸着剤が担持されていない熱交換器を用いる一般的な空調機では、熱交換器の前後における空気の温度差を利用して、熱交換器を通過する空気の流量を推定することが可能である。例えば、蒸発器として機能している熱交換器では、そこを通過する空気の流量が少なくなるにつれて熱交換器の前後における空気の温度差が拡大してゆき、その結果、熱交換器の下流における空気の温度が低くなってゆく。また、凝縮器として機能している熱交換器では、そこを通過する空気の流量が少なくなるにつれて熱交換器の前後における空気の温度差が拡大してゆき、その結果、熱交換器の下流における空気の温度が高くなってゆく。このため、熱交換器の前後における空気の温度差について、実測値と基準風量において測定した基準値とを比較し、その実測値が基準値よりも大きくなっていれば、その時に熱交換器を通過する空気の流量が基準風量よりも減少していると判断できる。
【０１２６】
このことから、本実施形態の調湿装置（10）でも、吸着熱交換器（51,52）の前後における空気の温度差から吸着熱交換器（51,52）を通過する空気の流量を推定できるように思えるかも知れない。しかしながら、吸着剤を担持する吸着熱交換器（51,52）については、その前後における空気の温度差からそこを通過する空気の流量を正確に推定するのは極めて困難である。
【０１２７】
この点について説明する。空気中の水分が吸着剤に吸着される際には、吸着熱が発生する。蒸発器となっている吸着熱交換器（51,52）では、冷媒が吸着熱を吸熱して蒸発する。このため、吸着熱交換器（51,52）を通過する間に、空気の温度はそれほど低下せず、また場合によっては殆ど変化しないこともある。また、吸着剤から水分を脱離させるには、吸着剤に外部から熱を供給しなければならない。凝縮器となっている吸着熱交換器（51,52）では、冷媒から放熱された熱量の大部分が吸着剤から水分を脱離させるために消費される。このため、吸着熱交換器（51,52）を通過する間に、空気の温度はそれほど上昇せず、また場合によっては殆ど変化しないこともある。従って、吸着熱交換器（51,52）の前後における空気の温度差を監視しても、その値から吸着熱交換器（51,52）を通過する空気の流量を推定するのは困難である。
【０１２８】
それに対し、本実施形態の風量推定部（94）では、吸着熱交換器（51,52）の前後における空気の絶対湿度の値Ｘoa,Ｘsaを用いて、吸着熱交換器（51,52）を通過する空気の流量を推定している。吸着熱交換器（51,52）を空気が通過する際には、空気に含まれる水分の量（即ち、空気の絶対湿度）が比較的大きく変化する。そして、吸着熱交換器（51,52）を空気が通過する空気の流量が変化すると、それに応じて吸着熱交換器（51,52）の前後における空気の絶対湿度の差も比較的大きく変動する。従って、本実施形態によれば、吸着熱交換器（51,52）を通過する空気の流量を正確に推定することができる。
【０１２９】
−実施形態の変形例１−
上述したように、本実施形態の風量推定部（94）では、第１動作中や第２動作中に吸着熱交換器（51,52）を通過した空気の絶対湿度のピーク値を、給気空気（SA）の絶対湿度Ｘsaとして用いているが、給気空気（SA）の絶対湿度Ｘsaとして用いる値はこれに限定される訳ではない。例えば、第１動作や第２動作の開始時点から所定時間（例えば１分間）だけ経過した時点での吸着熱交換器（51,52）の下流における空気の絶対湿度を、給気空気（SA）の絶対湿度Ｘsaとして用いてもよい。また、吸着熱交換器（51,52）の下流における空気の絶対湿度について、第１動作や第２動作の開始時点から所定時間（例えば１分間）が経過した時点までの時間的な平均値を算出し、その値を給気空気（SA）の絶対湿度Ｘsaとして用いてもよい。
【０１３０】
−実施形態の変形例２−
本実施形態のコントローラ（90）では、風量推定部（94）をフィルタ状態検出部（93）に組み込み、吸着熱交換器（51,52）の前後における空気の絶対湿度の差についての実測値と基準値を比較することで、外気側フィルタ（27）の目詰まり状態を検知するようにしてもよい。
【０１３１】
本変形例においても、フィルタ状態検出部（93）には、上記式１で示されるデータベース関数が記憶されている。フィルタ状態検出部（93）は、室外空気（OA）の絶対湿度Ｘoa、及び圧縮機（53）の運転周波数Ｆのそれぞれについて、判定時点における値を取得する。また、フィルタ状態検出部（93）は、吸着熱交換器（51,52）を通過する空気の風量Ｑの値として、外気側フィルタ（27）の初期状態における給気ファン（26）の風量として予め記憶している値を用いる。
【０１３２】
フィルタ状態検出部（93）は、これら絶対湿度Ｘoa、運転周波数Ｆ、空気の風量Ｑの各値と式１のデータベース関数とを用いて供給空気（SA）の絶対湿度の推定値Ｘsa_eを算出する。また、フィルタ状態検出部（93）は、給気温度センサ（62）の検出値及び給気湿度センサ（72）の検出値から供給空気（SA）の絶対湿度の測定値Ｘsa_mを算出し、外気温度センサ（61）の検出値及び外気湿度センサ（71）の検出値から室外空気（OA）の絶対湿度の測定値Ｘoa_mを算出する。続いて、フィルタ状態検出部（93）は、室外空気（OA）の絶対湿度の測定値Ｘoa_mと供給空気（SA）の絶対湿度の推定値Ｘsa_eとの差の絶対値 |ΔＸ_e| と、室外空気（OA）の絶対湿度の測定値Ｘoa_mと供給空気（SA）の絶対湿度の測定値Ｘsa_mとの差の絶対値 |ΔＸ_m| とを算出する。
【０１３３】
絶対値 |ΔＸ_m| が絶対値 |ΔＸ_e| よりも大きくなっていれば、その時に実際に吸着熱交換器（51,52）を通過する空気の流量は、外気側フィルタ（27）が初期状態であるときに吸着熱交換器（51,52）を通過する空気の流量に比べて減少していることになる。そこで、フィルタ状態検出部（93）は、絶対値 |ΔＸ_m| が絶対値 |ΔＸ_e| よりもある程度大きくなると、外気側フィルタ（27）の目詰まりが進行していると判断し、「フィルタ交換サイン」を表示する。
【０１３４】
また、本変形例において、フィルタ状態検出部（93）は、供給空気（SA）の絶対湿度の測定値Ｘsa_mとその推定値Ｘsa_eとを比較することによって、外気側フィルタ（27）の目詰まり状態を検知するように構成されていてもよい。その場合、フィルタ状態検出部（93）では、次のようにして外気側フィルタ（27）の目詰まり状態が検知される。
【０１３５】
除湿運転中において、供給空気（SA）の絶対湿度の測定値Ｘsa_mがその推定値Ｘsa_eを下回っている場合は、吸着熱交換器（51,52）を通過する空気の風量が外気側フィルタ（27）の初期状態における値よりも減少していることになる。そこで、除湿運転中のフィルタ状態検出部（93）は、供給空気（SA）の絶対湿度の測定値Ｘsa_mがその推定値Ｘsa_eをある程度以上下回っていると、外気側フィルタ（27）の目詰まりが進行していると判断し、「フィルタ交換サイン」を表示する。
【０１３６】
加湿運転中において、供給空気（SA）の絶対湿度の測定値Ｘsa_mがその推定値Ｘsa_eを上回っている場合は、吸着熱交換器（51,52）を通過する空気の風量が外気側フィルタ（27）の初期状態における値よりも減少していることになる。そこで、加湿運転中のフィルタ状態検出部（93）は、供給空気（SA）の絶対湿度の測定値Ｘsa_mがその推定値Ｘsa_eをある程度以上上回っていると、外気側フィルタ（27）の目詰まりが進行していると判断し、「フィルタ交換サイン」を表示する。
【０１３７】
このように、本変形例は、上記実施形態のような“吸着熱交換器（51,52）を通過する空気の風量”の推定値そのものを算出するものではないが、吸着熱交換器（51,52）における空気の絶対湿度の変化量とそこを通過する空気の流量との相関を利用している点では、上記実施形態と共通している。従って、本変形例のフィルタ状態検出部（93）も、実質的には吸着熱交換器（51,52）における空気の絶対湿度の変化量に基づいて吸着熱交換器（51,52）を通過する空気の流量を推定していることになる。
【０１３８】
−実施形態の変形例３−
また、上記実施形態について、換気を行わない調湿装置（10）において、内気温度センサ（63）及び内気湿度センサ（73）の検出値と給気温度センサ（62）及び給気湿度センサ（72）の検出値とに基づいて外気側フィルタ（27）の目詰まりの状態を検出するようにしてもよい。本変形例において、内気温度センサ（63）及び内気湿度センサ（73）は、コントローラ（90）と共に入口側湿度検出手段を構成する。また、給気温度センサ（62）及び給気湿度センサ（72）は、コントローラ（90）と共に出口側湿度検出手段を構成する。
【０１３９】
−実施形態の変形例４−
上記実施形態では、フィルタ交換後の調湿装置（10）の運転積算時間を計測するタイマをコントローラ（90）に設けてもよい。本変形例において、コントローラ（90）は、そのタイマにより計測された運転積算時間が所定の基準値に達すると、フィルタ状態検出部（93）によって検出される外気側フィルタ（27）の目詰まりの状態が「フィルタ交換サイン」を表示するまでに至っていなくても、「フィルタ交換サイン」を表示する。このタイマは、外気側フィルタ（27）の交換判定の足切りに用いられる。
【０１４０】
《発明の実施形態２》
本発明の実施形態２について説明する。本実施形態は、上記実施形態１の調湿装置（10）において、コントローラ（90）の構成を変更したものである。ここでは、本実施形態について、上記実施形態１と異なる点を説明する。
【０１４１】
本実施形態のコントローラ（90）は、調湿装置（10）に室内の換気を１日中行わせるように構成されている。また、コントローラ（90）は、夜間の所定の時刻（例えば午前０時）になると、調湿装置（10）の運転を、調湿制御部（92）が運転制御を行う通常運転からフィルタ状態検出運転へ一時的に切り換える。
【０１４２】
フィルタ状態検出運転では、圧縮機（53）の運転周波数Ｆが予め定められた規定値に固定され、給気ファン（26）の風量が予め定められた規定値（例えば「中」）に固定される。このフィルタ状態検出運転には、コントローラ（90）のフィルタ状態検出部（93）が外気側フィルタ（27）の目詰まり状態を検出する。
【０１４３】
本実施形態のフィルタ状態検出部（93）は、フィルタ状態検出運転中にだけ外気側フィルタ（27）の目詰まり状態を検出する。そのため、このフィルタ状態検出部（93）には、式４で示されるデータベース関数が記憶されている。
式４：Ｘsa＝Ｊ（Ｘoa,Ｑ）＋Ｋ
【０１４４】
この式４のデータベース関数は、上記式１に示す実施形態１のデータベース関数のパラメータから圧縮機（53）の運転周波数Ｆを除外したものである。上述したように、フィルタ状態検出運転中には圧縮機（53）の運転周波数Ｆが所定の規定値に固定される。つまり、フィルタ状態検出部（93）が外気側フィルタ（27）の目詰まり状態を検出する時点において、圧縮機（53）の運転周波数Ｆの値は既知である。そこで、本実施形態のフィルタ状態検出部（93）は、圧縮機（53）の運転周波数Ｆがパラメータから除外された式４のデータベース関数を用いて、外気側フィルタ（27）の目詰まり状態を検出する。
【０１４５】
−フィルタ状態検出部の動作−
フィルタ状態検出部（93）の動作について、図１２のフロー図を参照しながら説明する。フィルタ状態検出部（93）が外気側フィルタ（27）の目詰まりの状態を検出する際は、フィルタ状態検出運転中における給気ファン（26）の風量の設定値に対応した初期状態の風量Ｑ(0)を選択する。本実施形態では、フィルタ状態検出運転中における給気ファン（26）の風量の設定値を「中」にしているため、それに対応してＱ(0)＝ＱM(0)とする。
【０１４６】
ステップST20では、フィルタ状態検出部（93）が調湿装置（10）の運転を通常運転からフィルタ状態検出運転へと切り換える。フィルタ状態検出運転中には、圧縮機（53）の運転周波数と給気ファン（26）の風量とが一定値に固定される一方、第１動作と第２動作が交互に繰り返し行われる。
【０１４７】
風量推定部（94）は、ステップST20からステップST21へ移行し、室外空気（OA）の絶対湿度Ｘoaと給気空気（SA）の絶対湿度Ｘsaとを算出する。このステップST21における風量推定部（94）の動作は、図１０のステップST11において実施形態１の風量推定部（94）が行う動作と同じである。
【０１４８】
続くステップST22において、風量推定部（94）は、式４に示すデータベース関数を利用して外気側フィルタ（27）を通過する空気の風量Ｑを推定する。このステップST21における風量推定部（94）の動作は、式４のデータベース関数を用いる点を除き、図１０のステップST12において実施形態１の風量推定部（94）が行う動作と同じである。
【０１４９】
続くステップST23において、フィルタ状態検出部（93）は、図１０のステップST13において実施形態１のフィルタ状態検出部（93）が行うのと同じ動作を行い、推定した風量Ｑの値と、外気側フィルタ（27）の初期状態における風量Ｑ(0)の値とを比較する。そして、上記式３が成立していない場合、フィルタ状態検出部（93）は、ステップST25へ移行して通常運転を再開させる。一方、上記式３が成立している場合、フィルタ状態検出部（93）は、ステップST14に移行して「フィルタ交換サイン」を表示し、その後にステップST25へ移行して通常運転を再開させる。
【０１５０】
−実施形態２の効果−
本実施形態では、冷媒回路（50）の冷凍サイクルの状態を考慮することなく外気側フィルタ（27）の目詰まりの状態を検出できるように、フィルタ状態検出運転を行うようにしている。フィルタ状態検出運転において冷媒回路（50）の冷凍サイクルの状態を一定に保持することで、冷媒回路（50）の冷凍サイクルの状態に影響を与える圧縮機（53）の運転周波数や電動膨張弁（55）の開度を含まないデータベース関数によって、外気側フィルタ（27）を通過する空気の風量Ｑを推測することができ、その風量Ｑから外気側フィルタ（27）の目詰まりの状態を検出することができる。つまり、室外から室内へ供給される空気の状態として室外空気（OA）の絶対湿度及び給気空気（SA）の絶対湿度の変化のみを考慮して外気側フィルタ（27）の目詰まりの状態を検出することができる。従って、外気側フィルタ（27）の目詰まりの状態の検出が簡単になって誤差が生じにくくなるので、外気側フィルタ（27）の目詰まりの状態の検出精度を向上させることができる。
【０１５１】
《発明の実施形態３》
本発明の実施形態３について説明する。本実施形態は、上記実施形態１のフィルタ状態検出部（93）の構成を変更したものである。ここでは、本実施形態の調湿装置（10）について、上記実施形態１と異なる点を説明する。
【０１５２】
図１３に示すように、本実施形態の調湿装置（10）には、排気温度センサ（64）と排気湿度センサ（74）とが設けられている。排気温度センサ（64）及び排気湿度センサ（74）は、排気側流路（31）に設けられている。排気側流路（31）では、吸着熱交換器（51,52）を通過した空気が流通する。排気温度センサ（64）は、排気側流路（31）を流れる空気の温度を計測する。排気湿度センサ（74）は、排気側流路（31）を流れる室外空気の相対湿度を計測する。排気温度センサ（64）及び排気湿度センサ（74）は、コントローラ（90）と共に、吸着熱交換器（51,52）の下流における空気の絶対湿度を検出する出口側湿度検出手段を構成している。
【０１５３】
また、本実施形態の調湿装置（10）において、内気温度センサ（63）及び内気湿度センサ（73）は、コントローラ（90）と共に、吸着熱交換器（51,52）の上流における空気の絶対湿度を検出する入口側湿度検出手段を構成している。
【０１５４】
本実施形態のコントローラ（90）において、風量推定部（94）は、室外から室内へ供給される空気の流量（即ち、給気流量）だけでなく、室内から室外へ排出される空気の流量（即ち、排気流量）も推定する。風量推定部（94）が給気流量を推定する動作は、上記実施形態１の場合と同様である。ここでは、風量推定部（94）が排気流量を推定する動作について説明する。
【０１５５】
本実施形態の風量推定部（94）には、式５に示すデータベース関数が記憶されている。
式５：Ｘea＝Ｊ（Ｘra,Ｑ',Ｆ）＋Ｋ
【０１５６】
式５のデータベース関数は、式１のデータベース関数において、ＸsaをＸeaに、ＸoaをＸraに、ＱをＱ'にそれぞれ置き換えたものである。Ｘeaは排出空気（EA）の絶対湿度（即ち、吸着熱交換器（51,52）の下流における空気の絶対湿度）を、Ｘraは室内空気（RA）の絶対湿度（即ち、吸着熱交換器（51,52）の上流における空気の絶対湿度）を、Ｑ'は排気ファン（25）の風量（即ち、内気側フィルタ（28）を通過する空気の流量）をそれぞれ表している。式５のデータベース関数は、式１のデータベース関数と同様の手法によって定められる。
【０１５７】
本実施形態の風量推定部（94）は、内気温度センサ（63）の検出値と内気湿度センサ（73）の検出値とを用いて室内空気（RA）の絶対湿度Ｘraを算出すると共に、排気温度センサ（64）の検出値と排気湿度センサ（74）の検出値とを用いて排出空気（EA）の絶対湿度Ｘeaを算出する。風量推定部（94）は、算出した室内空気（RA）の絶対湿度Ｘra及び排出空気（EA）の絶対湿度Ｘeaと式５のデータベース関数とを用いて、排気ファン（25）の風量Ｑ'を推定する。風量推定部（94）が排気ファン（25）の風量Ｑ'を推定する動作は、風量推定部（94）が給気ファン（26）の風量Ｑを推定する動作と同様である。
【０１５８】
本実施形態のコントローラ（90）において、フィルタ状態検出部（93）は、外気側フィルタ（27）の目詰まりの状態だけでなく、内気側フィルタ（28）の目詰まり状態をも検出するように構成されている。フィルタ状態検出部（93）が外気側フィルタ（27）の目詰まりの状態を検出する動作は、上記実施形態１の場合と同様である。
【０１５９】
フィルタ状態検出部（93）が内気側フィルタ（28）の目詰まり状態を検出する動作について説明する。フィルタ状態検出部（93）は、排気ファン（25）の風量Ｑ'について、風量推定部（94）で算出された推定値と、内気側フィルタ（28）の初期状態における基準値とを比較する。そして、フィルタ状態検出部（93）は、その推定値が基準値の９０％以下になっていると、内気側フィルタ（28）の目詰まりが進行していると判断し、「フィルタ交換サイン」を表示する。
【０１６０】
《発明の実施形態４》
本発明の実施形態４について説明する。本実施形態の調湿装置（10）は、上記実施形態３において、給気流量と排気流量が一定に保たれるように給気ファン（26）及び排気ファン（25）に対する制御を行うようにしたものである。ここでは、本実施形態の調湿装置（10）について、上記実施形態３と異なる点を説明する。
【０１６１】
図１４に示すように、本実施形態の調湿装置（10）には、入口側温度センサ（66）と、入口側湿度センサ（76）と、出口側温度センサ（67）と、出口側湿度センサ（77）とが設けられている。これらのセンサ（66,67,76,77）は、何れも第１熱交換器室（37）に設置されている。
【０１６２】
入口側温度センサ（66）及び入口側湿度センサ（76）は、第１熱交換器室（37）のうち第１吸着熱交換器（51）の上流側の部分（即ち、背面パネル（13）寄りの部分）に設置されている。入口側温度センサ（66）は、第１吸着熱交換器（51）を通過する前の空気の温度を計測する。入口側湿度センサ（76）は、第１吸着熱交換器（51）を通過する前の空気の相対湿度を計測する。入口側温度センサ（66）及び入口側湿度センサ（76）は、コントローラ（90）と共に、吸着熱交換器（51,52）の上流における空気の絶対湿度を検出する入口側湿度検出手段を構成している。
【０１６３】
出口側温度センサ（67）及び出口側湿度センサ（77）は、第１熱交換器室（37）のうち第１吸着熱交換器（51）の下流側の部分（即ち、前面パネル（12）寄りの部分）に設置されている。出口側温度センサ（67）は、第１吸着熱交換器（51）を通過した後の空気の温度を計測する。出口側湿度センサ（77）は、第１吸着熱交換器（51）を通過した後の空気の相対湿度を計測する。出口側温度センサ（67）及び出口側湿度センサ（77）は、コントローラ（90）と共に、吸着熱交換器（51,52）の下流における空気の絶対湿度を検出する出口側湿度検出手段を構成している。
【０１６４】
図１５に示すように、本実施形態のコントローラ（90）では、ファン制御部（91）に給気側制御部（95）と排気側制御部（96）とが設けられている。本実施形態のファン制御部（91）では、室内へ供給される供給空気（SA）の流量の目標値（目標給気量）と、室外へ排出される排出空気（EA）の流量の目標値（目標排気量）とが設定される。これら目標給気量や目標排気量は、調湿装置（10）を設置する際に室内条件に応じて設置作業者が適宜決定してもよいし、ユーザーがリモコン等で適宜設定してもよい。
【０１６５】
給気側制御部（95）は、給気ファン（26）の送風量が目標給気量に保たれるように、給気ファン（26）の回転速度を調節する。排気側制御部（96）は、排気ファン（25）の送風量が目標排気量に保たれるように、排気ファン（25）の回転速度を調節する。給気側制御部（95）及び排気側制御部（96）が行う制御動作については後述する。
【０１６６】
本実施形態の風量推定部（94）には、上記実施形態３の場合と同様に、式１で示されるデータベース関数と、式５で示されるデータベース関数とが記憶されている。また、風量推定部（94）には、入口側温度センサ（66）の検出値と、入口側湿度センサ（76）の検出値と、出口側温度センサ（67）の検出値と、出口側湿度センサ（77）の検出値とが入力されている。風量推定部（94）は、各センサ（66,67,76,77）の検出値と２つのデータベース関数とを用いて、室内へ供給される供給空気（SA）の流量と、室外へ排出される排出空気（EA）の流量とを推定する。風量推定部（94）の動作については後述する。
【０１６７】
−コントローラの制御動作−
除湿運転や加湿運転を長期に亘って運転すると、外気側フィルタ（27）に室外空気中の塵埃が徐々に蓄積し、外気側フィルタ（27）を通過する際の空気の圧力損失が増大する。同様に、内気側フィルタ（28）に室内空気中の塵埃が徐々に蓄積し、内気側フィルタ（28）を通過する際の空気の圧力損失が増大する。更に、上記吸着熱交換器（51,52）の各フィン（57）の表面に各フィルタ（27,28）で捕集されなかった埃が付着して蓄積し、吸着熱交換器（51,52）を通過する際の空気の圧力損失が増大する。
【０１６８】
このように、本実施形態の調湿装置（10）では、空気がケーシング（11）内を通過する際の圧力損失が次第に増大する。このため、給気ファン（26）や排気ファン（25）への入力を一定に保ったままだと、室内へ供給される供給空気（SA）の流量や、室外へ排出される排出空気（EA）の流量が次第に減少してしまう。そこで、本実施形態の調湿装置（10）では、コントローラ（90）のファン制御部（91）が所定の制御動作を行い、各ファン（25,26）の送風量を目標送風量に保つ。
【０１６９】
本実施形態のファン制御部（91）は、第１動作と第２動作との切り換えに連動して、給気ファン（26）に対する制御と排気ファン（25）に対する制御とを交互に行う。
【０１７０】
具体的に、除湿運転の第２動作や加湿運転の第１動作では、給気ファン（26）によって吸引された室外空気が第１熱交換器室（37）を通過する。これらの動作中において、風量推定部（94）は、入口側温度センサ（66）及び入口側湿度センサ（76）の検出値から算出した室外空気（OA）の絶対湿度Ｘoaと、出口側温度センサ（67）及び出口側湿度センサ（77）の検出値から算出した供給空気（SA）の絶対湿度Ｘsaと、式１のデータベース関数とを用いて、第１吸着熱交換器（51）を通過する空気の流量（即ち、供給空気（SA）の流量）を推定する。給気側制御部（95）は、風量推定部（94）が推定した供給空気（SA）の流量の推定値と目標給気量とを比較し、その推定値が目標給気量となるように給気ファン（26）の回転速度を調節する。
【０１７１】
ここで、供給空気（SA）の流量の推定値が目標給気量を下回っている場合、給気側制御部（95）は、供給空気（SA）の流量の推定値を目標給気量に近づけるために必要な給気ファン（26）の回転速度を算出し、実際の給気ファン（26）の回転速度を算出値にまで増大させる。その結果、供給空気（SA）の流量が目標給気量に保たれる。
【０１７２】
一方、除湿運転の第１動作や加湿運転の第２動作では、排気ファン（25）によって吸引された室内空気が第１熱交換器室（37）を通過する。これらの動作中において、風量推定部（94）は、入口側温度センサ（66）及び入口側湿度センサ（76）の検出値から算出した室内空気（RA）の絶対湿度Ｘraと、出口側温度センサ（67）及び出口側湿度センサ（77）の検出値から算出した排出空気（EA）の絶対湿度Ｘeaと、式５のデータベース関数とを用いて、第１吸着熱交換器（51）を通過する空気の流量（即ち、排出空気（EA）の流量）を推定する。排気側制御部（96）は、風量推定部（94）が推定した排出空気（EA）の流量の推定値と目標排気量とを比較し、その推定値が目標排気量となるように排気ファン（25）の回転速度を調節する。
【０１７３】
ここで、排出空気（EA）の流量の推定値が目標排気量を下回っている場合、排気側制御部（96）は、排出空気（EA）の流量の推定値を目標排気量に近づけるために必要な排気ファン（25）の回転速度を算出し、実際の排気ファン（25）の回転速度を算出値にまで増大させる。その結果、排出空気（EA）の流量が目標排気量に保たれる。
【０１７４】
なお、給気側制御部（95）による給気ファン（26）の制御や、排気側制御部（96）による排気ファン（25）の制御は、第１動作と第２動作とを切り換える毎に必ず行う必要はなく、例えば数時間おき、あるいは１日おきといった間隔で行ってもよい。
【０１７５】
本実施形態のフィルタ状態検出部（93）は、上記実施形態３の場合と同様に、外気側フィルタ（27）の目詰まりの状態と、内気側フィルタ（28）の目詰まり状態との両方を検出する。
【０１７６】
上述したように、除湿運転の第２動作中や加湿運転の第１動作中には、風量推定部（94）が供給空気（SA）の流量を推定する。フィルタ状態検出部（93）は、風量推定部（94）で得られた供給空気（SA）の流量の推定値と、外気側フィルタ（27）に埃が付着していない初期状態における供給空気（SA）の流量である初期給気流量とを比較する。そして、フィルタ状態検出部（93）は、供給空気（SA）の流量の推定値が初期給気流量の例えば９０％以下になっていると、外気側フィルタ（27）の目詰まりが進行していると判断し、「フィルタ交換サイン」を表示する。
【０１７７】
また、除湿運転の第１動作中や加湿運転の第２動作中には、風量推定部（94）が排出空気（EA）の流量を推定する。フィルタ状態検出部（93）は、風量推定部（94）で得られた排出空気（EA）の流量の推定値と、内気側フィルタ（28）に埃が付着していない初期状態における排出空気（EA）の流量である初期排気流量とを比較する。そして、フィルタ状態検出部（93）は、排出空気（EA）の流量の推定値が初期排気流量の例えば９０％以下になっていると、内気側フィルタ（28）の目詰まりが進行していると判断し、「フィルタ交換サイン」を表示する。
【０１７８】
−実施形態４の変形例１−
本実施形態の調湿装置（10）では、入口側温度センサ（66）と、入口側湿度センサ（76）と、出口側温度センサ（67）と、出口側湿度センサ（77）とを第２熱交換器室（38）に設けてもよい。本変形例の第２熱交換器室（38）では、第２吸着熱交換器（52）の上流側に入口側温度センサ（66）及び入口側湿度センサ（76）が配置され、第２吸着熱交換器（52）の下流側に出口側温度センサ（67）及び出口側湿度センサ（77）が配置される。
【０１７９】
本変形例では、除湿運転の第２動作中や加湿運転の第１動作中に、風量推定部（94）が排出空気（EA）の流量を推定し、排気側制御部（96）が排気ファン（25）の回転速度を調節する。また、本変形例では、除湿運転の第１動作中や加湿運転の第２動作中に、風量推定部（94）が供給空気（SA）の流量を推定し、給気側制御部（95）が給気ファン（26）の回転速度を調節する。
【０１８０】
−実施形態４の変形例２−
本実施形態の調湿装置（10）には、図１３に示す上記実施形態３の調湿装置（10）と同様に、外気温度センサ（61）と、外気湿度センサ（71）と、給気温度センサ（62）と、給気湿度センサ（72）と、内気温度センサ（63）と、内気湿度センサ（73）と、排気温度センサ（64）と、排気湿度センサ（74）とが設けられていてもよい。
【０１８１】
本変形例のファン制御部（91）は、第１動作と第２動作との切り換えとは無関係に、給気ファン（26）に対する制御と排気ファン（25）に対する制御とを行う。
【０１８２】
具体的に、第１動作と第２動作の何れにおいても、風量推定部（94）は、外気温度センサ（61）及び外気湿度センサ（71）の検出値から室外空気（OA）の絶対湿度Ｘoaを算出することができ、給気温度センサ（62）及び給気湿度センサ（72）の検出値から供給空気（SA）の絶対湿度Ｘsaを算出することができる。従って、風量推定部（94）は、室外空気（OA）の絶対湿度Ｘoaと、供給空気（SA）の絶対湿度Ｘsaと、式１のデータベース関数とを用いて、供給空気（SA）の流量を推定することができる。そして、給気側制御部（95）は、風量推定部（94）が推定した供給空気（SA）の流量の推定値が目標給気量となるように給気ファン（26）の回転速度を調節する。
【０１８３】
また、第１動作と第２動作の何れにおいても、風量推定部（94）は、内気温度センサ（63）及び内気湿度センサ（73）の検出値から室内空気（RA）の絶対湿度Ｘraを算出することができ、排気温度センサ（64）及び排気湿度センサ（74）の検出値から排出空気（EA）の絶対湿度Ｘeaを算出することができる。従って、風量推定部（94）は、室内空気（RA）の絶対湿度Ｘraと、排出空気（EA）の絶対湿度Ｘeaと、式５のデータベース関数とを用いて、排出空気（EA）の流量を推定することができる。そして、給気側制御部（95）は、風量推定部（94）が推定した排出空気（EA）の流量の推定値が目標排気量となるように排気ファン（25）の回転速度を調節する。
【０１８４】
《その他の実施形態》
上記実施形態については、以下のような構成としてもよい。
【０１８５】
−第１変形例−
上記の各実施形態において、フィルタ状態検出部（93）は、第１動作と第２動作が交互に繰り返して行われている状態で外気側フィルタ（27）の目詰まりの状態や内気側フィルタ（28）の目詰まり状態を検出しているが、その状態でなくてもフィルタ（27,28）の目詰まり状態を検出することは可能である。
【０１８６】
例えば、次のような手順でフィルタ（27,28）の目詰まり状態を検出することもできる。
【０１８７】
先ず、調湿装置（10）の運転状態を第１動作中の状態に保ち、第１吸着熱交換器（51）の再生を比較的長時間（例えば１５分間程度）に亘って継続して行う。その後、圧縮機（53）を停止すると共に、第１ダンパ（41）と第３ダンパ（43）と第５ダンパ（45）と第７ダンパ（47）とを閉状態に設定し、その状態で第１吸着熱交換器（51）の温度が下がるのを待つ。
【０１８８】
第１吸着熱交換器（51）の温度が充分に下がったら、第１ダンパ（41）と第７ダンパ（47）とを開いて給気ファン（26）を運転し、第１吸着熱交換器（51）へ室外空気を供給する。第１吸着熱交換器（51）には殆ど水分が残存していないため、室外空気中の水分が第１吸着熱交換器（51）に吸着される。その際、フィルタ状態検出部（93）には、外気温度センサ（61）及び外気湿度センサ（71）の検出値と、給気温度センサ（62）及び給気湿度センサ（72）の検出値とが入力される。
【０１８９】
このように、充分に乾燥させた第１吸着熱交換器（51）へ室外空気中の水分を吸着させる場合も、第１吸着熱交換器（51）の前後における空気の絶対湿度の差は、第１吸着熱交換器（51）を通過する空気の流量が少なくなるにつれて拡大する。そこで、本変形例のフィルタ状態検出部（93）は、外気側フィルタ（27）に埃が付着していない初期状態での第１吸着熱交換器（51）の前後における空気の絶対湿度の差を基準湿度差として記憶しておき、第１吸着熱交換器（51）の前後における空気の絶対湿度の差の計測値が基準湿度差よりも大きければ、外気側フィルタ（27）の目詰まりが進行して室外空気の流量が低下していると判断する。
【０１９０】
−第２変形例−
上記実施形態では、調湿装置（10）が次のように構成されていてもよい。図１６に示すように、第１変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ調湿用部材を構成している。また、各吸着素子（111,112）には多数の空気通路が形成されており、この空気通路を通過する際に空気が吸着剤と接触する。
【０１９１】
この調湿装置（10）は、第１動作と第２動作を繰り返す。図１０(Ａ)に示すように、第１動作中の調湿装置（10）は、凝縮器（102）で加熱された空気を第１吸着素子（111）へ供給して吸着剤を再生する一方、第２吸着素子（112）に水分を奪われた空気を蒸発器（104）で冷却する。また、図１０(Ｂ)に示すように、第２動作中の調湿装置（10）は、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【０１９２】
−第３変形例−
上記実施形態では、調湿装置（10）が次のように構成されていてもよい。図１７に示すように、第２変形例の調湿装置（10）は、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、調湿用部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【０１９３】
この調湿装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【０１９４】
なお、以上の実施形態は、本質的に好ましい例示であって、本発明、その適用物、あるいはその用途の範囲を制限することを意図するものではない。
【産業上の利用可能性】
【０１９５】
以上説明したように、本発明は、室内の湿度調節を行うための調湿装置について有用である。
【図面の簡単な説明】
【０１９６】
【図１】実施形態１の調湿装置をケーシングの一部を省略して示す斜視図である。
【図２】実施形態１の調湿装置をケーシングの一部を省略して示す平面図、右側面図、及び左側面図である。
【図３】実施形態１の冷媒回路の構成を示す配管系統図であって、(Ａ)は第１動作中の動作を示すものであり、(Ｂ)は第２動作中の動作を示すものである。
【図４】吸着熱交換器の概略斜視図である。
【図５】実施形態１のコントローラの構成を示すブロック図である。
【図６】除湿運転の第１動作における空気の流れを示す調湿装置の平面図、右側面図、及び左側面図である。
【図７】除湿運転の第２動作における空気の流れを示す調湿装置の平面図、右側面図、及び左側面図である。
【図８】加湿運転の第１動作における空気の流れを示す調湿装置の平面図、右側面図、及び左側面図である。
【図９】加湿運転の第２動作における空気の流れを示す調湿装置の平面図、右側面図、及び左側面図である。
【図１０】実施形態１の風量推定部およびフィルタ状態検出部が行う動作を示すフロー図である。
【図１１】除湿運転中に第１動作と第２動作が交互に切り換わる間における第１空気及び第２空気の絶対湿度と経過時間の関係図である。
【図１２】実施形態２の風量推定部およびフィルタ状態検出部が行う動作を示すフロー図である。
【図１３】実施形態３の調湿装置をケーシングの一部を省略して示す平面図、右側面図、及び左側面図である。
【図１４】実施形態４の調湿装置をケーシングの一部を省略して示す平面図、右側面図、及び左側面図である。
【図１５】実施形態４のコントローラの構成を示すブロック図である。
【図１６】その他の実施形態の第２変形例における調湿装置の概略構成図であって、(Ａ)は第１動作中の動作を示すものであり、(Ｂ)は第２動作中の動作を示すものである。
【図１７】その他の実施形態の第３変形例における調湿ユニットの概略斜視図である。
【符号の説明】
【０１９７】
10    調湿装置
25    排気ファン（送風ファン）
26    給気ファン（送風ファン）
27    外気側フィルタ（フィルタ部材）
28    内気側フィルタ（フィルタ部材）
50    冷媒回路
51    第１吸着熱交換器（調湿用部材）
52    第２吸着熱交換器（調湿用部材）
53    圧縮機
61    外気温度センサ（入口側湿度検出手段）
62    給気温度センサ（出口側湿度検出手段）
63    内気温度センサ（入口側湿度検出手段）
64    排気温度センサ（出口側湿度検出手段）
66    入口側温度センサ（入口側湿度検出手段）
67    出口側温度センサ（出口側湿度検出手段）
71    外気湿度センサ（入口側湿度検出手段）
72    給気湿度センサ（出口側湿度検出手段）
73    内気湿度センサ（入口側湿度検出手段）
74    排気湿度センサ（出口側湿度検出手段）
76    入口側湿度センサ（入口側湿度検出手段）
77    出口側湿度センサ（出口側湿度検出手段）
91    ファン制御部（ファン制御手段）
93    フィルタ状態検出部（フィルタ状態検出手段）
94    風量推定部（風量推定手段）
95    給気側制御部（給気側制御手段）
96    排気側制御部（排気側制御手段）
100   冷媒回路
101   圧縮機
111   第１吸着素子（調湿用部材）
112   第２吸着素子（調湿用部材）
151   第１吸着フィン（調湿用部材）
152   第２吸着フィン（調湿用部材）
【図１】
2008145092.tif 000003
【図２】
2008145092.tif 000004
【図３】
2008145092.tif 000005
【図４】
2008145092.tif 000006
【図５】
2008145092.tif 000007
【図６】
2008145092.tif 000008
【図７】
2008145092.tif 000009
【図８】
2008145092.tif 000010
【図９】
2008145092.tif 000011
【図１０】
2008145092.tif 000012
【図１１】
2008145092.tif 000013
【図１２】
2008145092.tif 000014
【図１３】
2008145092.tif 000015
【図１４】
2008145092.tif 000016
【図１５】
2008145092.tif 000017
【図１６】
2008145092.tif 000018
【図１７】
2008145092.tif 000019